(57)【特許請求の範囲】
【請求項１】
メダルを預け入れたり払い出したりすることができ、それぞれが通信可能に接続された複数のメダル預払機、および、これらのメダル預払機に対して通信可能に接続され、これらのメダル預払機を管理するための管理装置を含むメダル預払システムであって、
前記複数のメダル預払機のうちの少なくとも１台を親機に設定する設定手段と、
前記複数のメダル預払機のそれぞれと前記管理装置との間での通信異常を検出する検出手段と、
前記検出手段が通信異常を検出したことに応じて、通信異常中は前記親機を前記管理装置の代替機として稼動させて前記複数のメダル預払機の縮退運転を実行する実行手段と、
を含み、
前記親機は、前記複数のメダル預払機のそれぞれと前記管理装置との間で通信が可能な通常状態において、前記管理装置の管理データをバックアップ管理するバックアップ手段を含み、
前記親機は、通信異常中において、前記バックアップ手段によってバックアップ管理されていた管理データに基づいて、前記管理装置の代替機として稼動することを特徴とする、メダル預払システム。
【請求項２】
前記バックアップ手段は、前記管理装置の管理データにおける特定種類のデータの一部をバックアップ管理することを特徴とする、請求項１記載のメダル預払システム。
【請求項３】
前記複数のメダル預払機のそれぞれは、前記検出手段と、前記検出手段が通信異常を検出したことに応じて、少なくとも前記親機に対して通信異常を通知する通知手段と、を含み、
前記実行手段は、前記親機が通信異常の通知を受けたのに応じて、前記各メダル預払機に対して前記縮退運転を実行させることを特徴とする、請求項１または２に記載のメダル預払システム。
【請求項４】
通信異常が解消したのに応じて、通信異常中に前記親機で取得されたデータを前記管理装置に送信する送信手段と、
前記送信手段によって送信されたデータに基づいて前記管理装置の管理データを更新する更新手段と、
前記更新手段による更新が完了したのに応じて、前記各メダル預払機に対して、前記縮退運転を中止させ、前記管理装置との間での通信を行う通常運転を再開させる手段と、
を含むことを特徴とする、請求項１〜３のいずれかに記載のメダル預払システム。
【発明の詳細な説明】
【技術分野】
【０００１】
この発明は、それぞれが通信可能に接続された複数のメダル預払機と、これらのメダル預払機に対して通信可能に接続され、これらのメダル預払機を管理するための管理装置とを含むメダル預払システムに関する。
【背景技術】
【０００２】
ゲーム場等の遊技店には、メダルを用いて遊技ができる遊技機が設置された遊技店があり、このような遊技店には、客が獲得したメダルを預け入れたり客にメダルを払い出したりすることができるメダル預払機が設置されている。遊技店内において、メダル預払機が複数設置されて、それぞれのメダル預払機が通信可能に接続されている場合がある。
下記特許文献１では、複数のメダル預かり払出装置で構成されたメダル預かり払出システムが開示されている。このメダル預かり払出システムでは、５台のメダル預かり払出装置のそれぞれがネットワーク接続されている。５台のメダル預かり払出装置のうち、２台がサーバー機能を有し、残りの３台がクライアント機能を有する。
【先行技術文献】
【特許文献】
【０００３】
【特許文献１】特許第３７７２０８２号公報
【発明の概要】
【発明が解決しようとする課題】
【０００４】
複数のメダル預払機を設置して、それぞれのメダル預払機を通信可能に接続する場合において、これらのメダル預払機を管理する管理装置をメダル預払機とは別に設けることが想定される。
この場合、管理装置は、各メダル預払機に対して通信可能に接続されるのだが、管理装置がダウンすること等によって、管理装置と各メダル預払機との間で通信異常が発生することがある。通信異常が発生するのに応じて、各メダル預払機において、メダルの預け入れや払い出し等の取引が中断されると、客および遊技店の双方にとって使い勝手が悪い。
【０００５】
ここで、特許文献１のように、メダル預かり払出システムを構成する複数のメダル預かり払出装置のうちの特定のメダル預かり払出装置にサーバー機能を持たせて、通信異常時において当該メダル預かり払出装置を管理装置の代替機として稼動させることが考えられる。ただし、この場合、サーバー機能を有するメダル預かり払出装置が、残りのメダル預かり払出装置よりも高スペックのものになっているので、その分、コストがかかる。よって、いずれのメダル預かり払出装置もスペックが同じであるとよいが、かといって、全てのメダル預かり払出装置を不必要に高スペックのものにすれば、一層コストがかかる。
【０００６】
この発明は、かかる背景のもとでなされたもので、複数のメダル預払機と、これらのメダル預払機を管理する管理装置とを含む構成において、管理装置と各メダル預払機との間で通信異常が発生した場合に各メダル預払機での取引を継続できるメダル預払システムを提供することを主たる目的とする。
また、この発明は、管理装置と各メダル預払機との間で通信異常が発生した場合に各メダル預払機での取引を継続できる構成を、低コストで実現できるメダル預払システムを提供することを別の目的とする。
【課題を解決するための手段】
【０００７】
請求項１記載の発明は、メダルを預け入れたり払い出したりすることができ、それぞれが通信可能に接続された複数のメダル預払機、および、これらのメダル預払機に対して通信可能に接続され、これらのメダル預払機を管理するための管理装置を含むメダル預払システムであって、前記複数のメダル預払機のうちの少なくとも１台を親機に設定する設定手段と、前記複数のメダル預払機のそれぞれと前記管理装置との間での通信異常を検出する検出手段と、前記検出手段が通信異常を検出したことに応じて、通信異常中は前記親機を前記管理装置の代替機として稼動させて前記複数のメダル預払機の縮退運転を実行する実行手段と、を含み、前記親機は、前記複数のメダル預払機のそれぞれと前記管理装置との間で通信が可能な通常状態において、前記管理装置の管理データをバックアップ管理するバックアップ手段を含み、前記親機は、通信異常中において、前記バックアップ手段によってバックアップ管理されていた管理データに基づいて、前記管理装置の代替機として稼動することを特徴とする、メダル預払システムである。
【０００８】
請求項２記載の発明は、前記バックアップ手段は、前記管理装置の管理データにおける特定種類のデータの一部をバックアップ管理することを特徴とする、請求項１記載のメダル預払システムである。
【０００９】
請求項３記載の発明は、前記複数のメダル預払機のそれぞれは、前記検出手段と、前記検出手段が通信異常を検出したことに応じて、少なくとも前記親機に対して通信異常を通知する通知手段と、を含み、前記実行手段は、前記親機が通信異常の通知を受けたのに応じて、前記各メダル預払機に対して前記縮退運転を実行させることを特徴とする、請求項１または２に記載のメダル預払システムである。
【００１０】
請求項４記載の発明は、通信異常が解消したのに応じて、通信異常中に前記親機で取得されたデータを前記管理装置に送信する送信手段と、前記送信手段によって送信されたデータに基づいて前記管理装置の管理データを更新する更新手段と、前記更新手段による更新が完了したのに応じて、前記各メダル預払機に対して、前記縮退運転を中止させ、前記管理装置との間での通信を行う通常運転を再開させる手段と、を含むことを特徴とする、請求項１〜３のいずれかに記載のメダル預払システムである。
【発明の効果】
【００１１】
請求項１記載の発明によれば、管理装置と各メダル預払機との間で通信異常が発生した場合において、通信異常中は、複数のメダル預払機のうちで親機に設定された少なくとも１台が、管理装置の代替機として稼動し、各メダル預払機が縮退運転するので、各メダル預払機での取引を継続できる。
ここで、複数のメダル預払機のうちのいずれもが親機に設定できるので、特定のメダル預払機だけを他のメダル預払機よりも高スペックのものにしなくても済み、これら全てのメダル預払機を同じスペックのものに統一できる。よって、通信異常が発生した場合に各メダル預払機での取引を継続できる構成を、低コストで実現できる。
【００１２】
また、通信異常中において、親機は、それまでの通常状態でバックアップ管理していた管理データに基づいて、管理装置の代替機として稼動できることから、各メダル預払機の縮退運転による各メダル預払機での取引を確実に継続できる。
請求項２記載の発明によれば、親機は、管理装置の管理データの全てをバックアップ管理できる程度の高スペックを有していなくてもよいので、親機に設定できる全てのメダル預払機を、同じ低スペックのものに統一できる。よって、通信異常が発生した場合に各メダル預払機での取引を継続できる構成を、より低コストで実現できる。
【００１３】
請求項３記載の発明によれば、複数のメダル預払機のうち、管理装置との間で通信異常が発生したメダル預払機がどれなのかが分かるので使い勝手がよい。さらに、管理装置との間で通信異常が発生したメダル預払機からの通知を親機が受けてから、各メダル預払機の縮退運転が開始されるので、通信異常が発生していないのにもかかわらず、誤って縮退運転が開始される不具合を防止できる。
【００１４】
請求項４記載の発明によれば、通信異常が解消すると、通信異常中に親機で取得されたデータに基づいて管理装置の管理データが更新されるので、管理装置は、正常に復旧できる。管理装置が復旧すると、各メダル預払機は通常運転を再開できる。
【図面の簡単な説明】
【００１５】
【図１】図１は、遊技店に設けられたメダル預払システム１を示す図である。
【図２】図２は、メダル預払機２の斜視図である。
【図３】図３は、メダル預払システム１の制御回路ブロック図であり、この発明の特徴と関連する部分のみを示すブロック図である。
【図４Ａ】図４Ａは、会員テーブル５０を示す図である。
【図４Ｂ】図４Ｂは、係員テーブル５１を示す図である。
【図４Ｃ】図４Ｃは、指静脈データテーブル５２を示す図である。
【図４Ｄ】図４Ｄは、履歴テーブル５３を示す図である。
【図５Ａ】図５Ａは、会員登録する場合におけるメダル預払機２の表示操作部１６の表示内容を示す図である。
【図５Ｂ】図５Ｂは、表示操作部１６の表示内容を示す図であって、図５Ａの次の段階における表示内容を示している。
【図５Ｃ】図５Ｃは、表示操作部１６の表示内容を示す図であって、図５Ｂの次の段階における表示内容を示している。
【図５Ｄ】図５Ｄは、表示操作部１６の表示内容を示す図であって、図５Ｃの次の段階における表示内容を示している。
【図５Ｅ】図５Ｅは、表示操作部１６の表示内容を示す図であって、図５Ｄの次の段階における表示内容を示している。
【図５Ｆ】図５Ｆは、表示操作部１６の表示内容を示す図であって、図５Ｅの次の段階における表示内容を示している。
【図５Ｇ】図５Ｇは、表示操作部１６の表示内容を示す図であって、図５Ｆの次の段階における表示内容を示している。
【図５Ｈ】図５Ｈは、表示操作部１６の表示内容を示す図であって、図５Ｇの次の段階における表示内容を示している。
【図５Ｉ】図５Ｉは、表示操作部１６の表示内容を示す図であって、図５Ｈの次の段階における表示内容を示している。
【図６Ａ】図６Ａは、メダルを預け入れる場合におけるメダル預払機２の表示操作部１６の表示内容を示す図である。
【図６Ｂ】図６Ｂは、表示操作部１６の表示内容を示す図であって、図６Ａの次の段階における表示内容を示している。
【図６Ｃ】図６Ｃは、表示操作部１６の表示内容を示す図であって、図６Ｂの次の段階における表示内容を示している。
【図６Ｄ】図６Ｄは、表示操作部１６の表示内容を示す図であって、図６Ｃの次の段階における表示内容を示している。
【図６Ｅ】図６Ｅは、表示操作部１６の表示内容を示す図であって、図６Ｄの次の段階における表示内容を示している。
【図６Ｆ】図６Ｆは、表示操作部１６の表示内容を示す図であって、図６Ｅの次の段階における表示内容を示している。
【図６Ｇ】図６Ｇは、表示操作部１６の表示内容を示す図であって、図６Ｆの次の段階における表示内容を示している。
【図６Ｈ】図６Ｈは、表示操作部１６の表示内容を示す図であって、図６Ｇの次の段階における表示内容を示している。
【図７Ａ】図７Ａは、メダルを払い出す場合におけるメダル預払機２の表示操作部１６の表示内容を示す図である。
【図７Ｂ】図７Ｂは、表示操作部１６の表示内容を示す図であって、図７Ａの次の段階における表示内容を示している。
【図７Ｃ】図７Ｃは、表示操作部１６の表示内容を示す図であって、図７Ｂの次の段階における表示内容を示している。
【図７Ｄ】図７Ｄは、表示操作部１６の表示内容を示す図であって、図７Ｃの次の段階における表示内容を示している。
【図７Ｅ】図７Ｅは、表示操作部１６の表示内容を示す図であって、図７Ｄの次の段階における表示内容を示している。
【図７Ｆ】図７Ｆは、表示操作部１６の表示内容を示す図であって、図７Ｅの次の段階における表示内容を示している。
【図７Ｇ】図７Ｇは、表示操作部１６の表示内容を示す図であって、図７Ｆの次の段階における表示内容を示している。
【図７Ｈ】図７Ｈは、表示操作部１６の表示内容を示す図であって、図７Ｇの次の段階における表示内容を示している。
【図８】図８は、子機のメダル預払機２Ｂにおいて行われる制御動作を示すフローチャートである。
【図９】図９は、親機のメダル預払機２Ａにおいて行われる制御動作を示すフローチャートである。
【図１０】図１０は、メダル預払システム１を起動する際にメダル預払システム１内で実施される処理を説明するための図である。
【図１１Ａ】図１１Ａは、メダル預払機２でメダルの預け入れや払い出しに関する取引が行われる際にメダル預払システム１内で実施される処理を説明するための図である。
【図１１Ｂ】図１１Ｂは、メダル預払機２でメダルの預け入れや払い出しに関する取引が行われる際にメダル預払システム１内で実施される処理を説明するための図である。
【図１２】図１２は、メダル預払機２で会員登録が行われる際にメダル預払システム１内で実施される処理を説明するための図である。
【図１３】図１３は、会員テーブル５０を示す図である。
【図１４】図１４は、払出枚数を入力する際における表示操作部１６の表示内容（第１の態様）を示す図である。
【図１５】図１５は、払出枚数を入力する際における表示操作部１６の表示内容（第２の態様）を示す図である。
【図１６】図１６は、メダル預払機２に投入されたメダルＭを振り分ける様子を示す模式図である。
【図１７】図１７は、メダル預払機２の制御回路ブロック図であり、この発明の特徴と関連する部分のみを示すブロック図である。
【図１８】図１８は、メダル預払機２においてメダルの振り分けに関して行われる制御動作を示すフローチャートである。
【発明を実施するための形態】
【００１６】
以下には、図面を参照して、この発明の実施形態について具体的に説明する。
図１は、遊技店に設けられたメダル預払システム１を示す図である。
図１を参照して、ゲーム場等の遊技店内には、メダル預払システム１（メダル払出システム）が設けられている。メダル預払システム１は、複数（ここでは５台）のメダル預払機２（メダル払出機）と、管理装置３と、有線または無線の通信回線で構成されたネットワーク４とを含んでいる。
【００１７】
メダル預払機２は、遊技で用いるメダルを預け入れたり払い出したりすることができる装置である。それぞれのメダル預払機２は、ネットワーク４を介して通信可能に接続されている。複数のメダル預払機２のうち、任意の１台が親機２Ａに設定され、残りのメダル預払機２が子機２Ｂに設定されている。親機２Ａは、自分が親機であることを認識しており、子機２Ｂは、親機２Ａがどのメダル預払機２であるかを認識している。親機２Ａや子機２Ｂの設定は、メダル預払システム１の起動時などの所定のタイミングにおいて、予め実施される。
【００１８】
管理装置３は、これらのメダル預払機２を管理するための装置であり、遊技店における係員用の事務所等に配置されている。管理装置３は、ネットワーク４を介して、全てのメダル預払機２に対して通信可能に接続されている。なお、ネットワーク４における管理装置３と全てのメダル預払機２との間には、中継ハブ５が介在されていて、管理装置３と各メダル預払機２との通信を中継ハブ５が中継してもよい。管理装置３では、各メダル預払機２の取引状況に基づいて、遊技店全体でのメダルの預入や払出に関する取引の傾向や、客層等を分析することができる。
【００１９】
次に、メダル預払機２について説明する。
図２は、メダル預払機２の斜視図である。
図２を参照して、メダル預払機２は、縦長のボックス状である。図２における左手前側がメダル預払機２の正面である。以下では、メダル預払機２を正面側から見たときを基準として、メダル預払機２の各部分について説明する。
【００２０】
メダル預払機２は、その外郭をなす本体１０を備えている。本体１０の正面部分は、略垂直に延びる前側垂直面１１と、前側垂直面１１の上端から後上側へ傾斜して延びる傾斜面１２とを含んでいる。
前側垂直面１１では、左上側にメダル払出口１３が設けられている。前側垂直面１１においてメダル払出口１３の右隣には、２つのカップホルダ１４が設けられている。各カップホルダ１４は、前側垂直面１１から正面側へ膨出するＵ字の枠体形状である。
【００２１】
ここで、メダル預払機２に関連して、遊技店には、メダルを収容するメダルカップ１５が存在する（右側のカップホルダ１４を参照）。メダル払出口１３内にメダルカップ１５全体を収容すると、メダル払出口１３に払い出されるメダルは、メダルカップ１５内に直接注ぎ込まれる。メダルが入ったメダルカップ１５または空のメダルカップ１５を各カップホルダ１４内に上から差し込むことによって、メダルカップ１５をカップホルダ１４において一時的に保持することができる。前側垂直面１１においてメダル払出口１３の下隣には、返却口２４（返却部）が設けられている。メダル預払機２に対して、メダル預払機２が設置された遊技店（自店）以外の店（他店）のメダルや、メダル以外の異物等が投入された場合に、これらのメダルや異物が返却口２４からリジェクトされて機外へ払い出される。
【００２２】
傾斜面１２において、略左半分は少し窪んでおり、この窪みに、タッチパネルディスプレイを有する矩形状の表示操作部１６（設定手段、受付手段、表示部）が設けられている。表示操作部１６には、客や係員向けの情報（メダルの預け入れや払い出しに関する情報）が表示されたり、客や係員が操作できるタッチキー（図示せず）が表示されたりする。表示操作部１６を操作することによって、たとえば、複数のメダル預払機２のうち、任意の１台を親機２Ａ（図１参照）に設定したり、払い出すメダルの枚数（払出枚数）を指定（入力）したりすることができる。傾斜面１２の右半分には、メダル預入口１７（投入部）が設けられている。メダル預入口１７には、これから預け入れるメダルが投入される。なお、メダルの預け入れが行われない場合には、メダル預入口１７はシャッター１８によって塞がれている。傾斜面１２におけるメダル預入口１７の左上には、指静脈認証部１９が設けられている。指静脈認証部１９には、凹状に窪む指セット部１９Ａが設けられている。客や係員が自分の指を指セット部１９Ａにセットすることによって、その指の指静脈パターンが指静脈認証部１９によって読み取られ、当該指静脈パターンのデータ（指静脈データ）によって、客や係員の本人確認が行われる。
【００２３】
なお、本体１０には、前側垂直面１１および傾斜面１２の各右端から後側へ連続しつつ垂直に延びる右側垂直面２０が設けられている。右側垂直面２０には、メダル補充扉２１が開閉可能に設けられている。メダル補充扉２１を開くことによって本体１０の内部にアクセスし、払い出すメダルを本体１０内に補充できる。
また、傾斜面１２を本体１０の上面２２の一部とみなすと、上面２２は、幅方向から見て、上方ヘ向けて突出する台形状をなしている。上面２２において台形の上底をなす部分は、本体１０の前後方向中央から後側へ少し偏った位置にあり、この部分には、幅方向に長手で上方ヘ突出する板状の凸部２３が一体的に設けられている。凸部２３には、メダル預払機２であることを示す標識や遊技店の広告等が表示される。
【００２４】
次に、メダル預払システム１における電気的構成について説明する。
図３は、メダル預払システム１の制御回路ブロック図であり、この発明の特徴と関連する部分のみを示すブロック図である。
図３を参照して、メダル預払システム１における管理装置３およびメダル預払機２のそれぞれの電気的構成を、この順番で説明する。
【００２５】
管理装置３は、制御部３０（更新手段）を備えている。制御部３０は、ＣＰＵおよびそのプログラム等を記憶したＲＯＭ、ＲＡＭ等で構成されており、プログラムに従って演算処理等の所定の処理を実行する。
管理装置３では、制御部３０に対して、主に、表示部３１と、操作部３２（設定手段）と、ＤＢ（データベース）３３（記憶装置）と、通信Ｉ／Ｆ（インタフェース）部３４とが電気的に接続されている。
【００２６】
表示部３１は、たとえば、様々な情報を表示するモニターである（図１も参照）。操作部３２は、たとえばキーボードであり（図１参照）、これを操作することによって所定の信号を制御部３０に入力できる。操作部３２を操作することによって、たとえば、複数のメダル預払機２のうち、任意の１台を親機２Ａに設定することができる（図１参照）。
ＤＢ３３には、様々な情報を記録することができる。通信Ｉ／Ｆ部３４を介することで、制御部３０は、ネットワーク４に接続されて、各メダル預払機２と通信できる。
【００２７】
メダル預払機２は、制御部４０（検出手段、実行手段、通知手段、送信手段、表示制御手段、算出手段、カウント手段、除外手段）を備えている。制御部４０は、ＣＰＵおよびそのプログラム等を記憶したＲＯＭ、ＲＡＭ等で構成されており、プログラムに従って演算処理等の所定の処理を実行する。
メダル預払機２では、制御部４０に対して、主に、前述した表示操作部１６および指静脈認証部１９のそれぞれと、預入部４１と、払出部４２（払出手段）と、計数部４３と、メモリ部４４（バックアップ手段）と、通信Ｉ／Ｆ部４５とが電気的に接続されている。
【００２８】
表示操作部１６における表示処理（情報表示や画面切換等）は、制御部４０によって制御される。制御部４０は、指静脈認証部１９が取得した指静脈データによって、前述した本人確認をおこなう。
預入部４１は、メダルの預け入れに係る様々な処理を行うことができる。具体的に、預入部４１は、制御部４０からの指示に応じて、たとえば、シャッター１８を開いてメダル預入口１７を開放したり（図２参照）、メダル預入口１７に投入されたメダルを回収したり、メダル投入完了後にシャッター１８を閉じたりする。払出部４２は、メダルの払出に係る様々な処理を行うことができる。具体的に、払出部４２は、制御部４０からの指示に応じて、たとえば、客が表示操作部１６で指定した払出枚数分のメダルをメダル払出口１３（図２参照）に払い出すことができる。計数部４３は、預け入れられたメダルを計数することができる。メモリ部４４には、様々な情報を記録することができる。通信Ｉ／Ｆ部４５を介することで、制御部４０は、ネットワーク４に接続されて、各メダル預払機２や管理装置３と通信できる。
【００２９】
次に、管理装置３のＤＢ３３に記録される内容（管理データ）について説明する。
ＤＢ３３には、一例として、会員テーブル５０、係員テーブル５１、指静脈データテーブル５２および履歴テーブル５３が記録されている。
図４Ａは、会員テーブル５０を示す図である。
図４Ａに示す会員テーブル５０に関し、客には、店側に会員登録している会員が存在する。会員は、遊技で獲得したメダルを、貯メダル（ちょめだる）として遊技店に預け入れ、次回来店したとき等に当該貯メダルを引き落として遊技に用いることができる。会員テーブル５０には、各会員のデータが記録されている。具体的に、会員テーブル５０には、各会員に割り当てられた会員番号、会員が会員登録した日（登録日）、会員のパスワード、誕生日および貯メダルの数（貯メダル数）が主に記録されている。図４Ａでは、会員番号が１２３４５６の会員について、その会員番号と、登録日（２０１０年９月２５日）と、パスワード（１２３４５６７８）と、誕生日（２０００年１２月２４日）と、最新の貯メダル数（２５０枚）とが会員テーブル５０に記録されている。
【００３０】
図４Ｂは、係員テーブル５１を示す図である。
図４Ｂに示す係員テーブル５１には、遊技店の各係員について、各係員に対して個別に割り当てられた識別記号（係員ＩＤ）、パスワードおよび氏名が主に記録されている。図４Ｂでは、係員ＩＤがＡＢＣＤＥＦの係員について、その係員ＩＤと、パスワード（００００００１）と、氏名（○×）とが係員テーブル５１に記録されている。
【００３１】
図４Ｃは、指静脈データテーブル５２を示す図である。
図４Ｃに示す指静脈データテーブル５２には、全ての会員および係員のそれぞれの指静脈データが、会員番号または係員ＩＤに関連付けて記録されている。なお、１つ１つの指静脈データでは、情報量が膨大なので、会員テーブル５０や係員テーブル５１でなく、専用の指静脈データテーブル５２において指静脈データが管理されている。
【００３２】
図４Ｄは、履歴テーブル５３を示す図である。
図４Ｄに示す履歴テーブル５３には、メダル預払機２に対する各会員の取引履歴が記録されている。具体的には、図４Ｄでは、会員番号が１２３４５６の会員について、取引を行った年月日、その取引がメダルの預入および払出のいずれであるか、その取引において預け入れられたメダルの枚数（預入枚数）または払い出されたメダルの枚数（払出枚数）、および、その取引が終わった時点における貯メダル数が履歴テーブル５３に記録されている。つまり、ＤＢ３３は、履歴テーブル５３において、メダル預払機２と預入や払出の取引をした客の過去の預入枚数や払出枚数の情報を記憶している。
【００３３】
なお、各メダル預払機２のメモリ部４４（図３参照）のメモリ容量（記録できる情報量の最大値）は、ＤＢ３３（図３参照）に比べて大幅に少ないので、ＤＢ３３内の前述したデータ（特に指静脈データ）を全て記憶することはできない。
次に、メダル預払機２との間で行われる各種の取引の手順について説明する。ここでの取引には、主に、会員登録と、メダルの預入と、メダルの払出とがある。各取引に関する手続きは、表示操作部１６（図２参照）を介して行われる。以下では、会員登録、メダルの預入およびメダルの払出のそれぞれの手順について、この順番で説明する。
【００３４】
図５Ａ〜図５Ｉは、会員登録する場合におけるメダル預払機２の表示操作部１６の表示内容を示す図である。
図５Ａ〜図５Ｉを参照して、会員登録の手順について説明する。各図において、係員や客の手Ｈが模式的に図示されている場合があるが、これは、表示操作部１６上のタッチキーを手Ｈで指している状態を示したものである（後述する図６Ａ〜図６Ｈや図７Ａ〜図７Ｈにおいても同様）。また、同じ図に複数の手Ｈが表示されている場合、各手Ｈに表示された丸囲みの数字が、タッチキーを押す順番を示している。また、この実施形態では、メダル預払機２の取引の対象となる客を低年齢の子供としているので、表示操作部１６に表示される文字には、主に平仮名が用いられている。
【００３５】
会員登録したい客は、最初に、係員を呼び出し、係員に立ち会ってもらう。係員は、図５Ａに示すように、「係員メニュー」という見出しがついた係員専用の画面を表示操作部１６に表示させ、「新規会員登録」と記されたタッチキー５５を押す。
すると、図５Ｂに示すように、「おたんじょう日を押してね  できたら［ＯＫ］を押してね」という見出しがついた誕生日入力用の画面が表示操作部１６に表示されるので、今度は、客が、表示操作部１６に表示されたテンキー５６を操作して、自身の誕生日を入力する。入力された誕生日は、表示操作部１６に表示されるので、客は、入力内容に間違いがなければ、表示操作部１６に表示されたＯＫキー５７を押す。なお、所定時間内（ここでは、１５秒以内）にＯＫキー５７が押されなければ、今回の取引がキャンセルされる。当該所定時間をカウントダウンする表示（図５Ｂにおける「あと１５秒」という表示）が画面に表示される（図５Ｃ以降の図面においても同様）。
【００３６】
客がＯＫキー５７を押すと、図５Ｃに示すように、「パスワードをとうろくするよ  できたら［ＯＫ］を押してね」という見出しがついたパスワード登録画面が表示操作部１６に表示されるので、客は、表示操作部１６に表示されたテンキー５８を操作して、自身で決めたパスワード（図５Ｃでは、１２３４５６７８）を入力し、入力内容に間違いがなければＯＫキー５９を押す。
【００３７】
客がＯＫキー５９を押すと、図５Ｄに示すように、「とうろくするパスワードだよ  ［これにする］を押してね」という見出しがついたパスワード確認画面が表示操作部１６に表示され、先程入力したパスワードが表示されるので、客は、このパスワードで良ければ、表示操作部１６において「これにする」と記されたタッチキー６０を押す。
すると、図５Ｅに示すように、「指情報をとうろくするよ  手をひろげて指をおいてね」という見出しがついた画面が表示操作部１６に表示される。この画面には、「３回とうろくするよ」と記されたメッセージ欄６１と、指静脈認証部１９（図２参照）のイラスト６２とが主に表示されている。客は、この画面の内容に沿って、自分の指（右手または左手において予め定めた１本の同じ指）を指静脈認証部１９の指セット部１９Ａ(図２参照)に３回セットする。客が指を指セット部１９Ａにセットするたびに、指静脈認証部１９が当該指の指静脈データ（指情報）を１回ずつ取得する。そのため、指静脈データが３回取得される。指静脈認証部１９による指静脈データの取得（指情報の登録）が１回完了すると、表示操作部１６のメッセージ欄６１には、指情報の登録が何回済んだのかを示す内容が表示される。
【００３８】
指情報の登録が３回済むと、表示操作部１６には、図５Ｆに示すように、「手をひろげて指をおいてね  とうろくできたか、たしかめよう」という見出しがついた確認画面が表示される。この画面には、先程と同じイラスト６２が表示されている。客は、この画面の内容に沿って、先程指セット部１９Ａにセットした指と同じ指を、再度指セット部１９Ａにセットする（図２参照）。これに応じて、指静脈認証部１９が当該指の指静脈データを１回取得する。先程３回連続で取得された指静脈データのうち、今回取得された指静脈データと指静脈パターンが最も近似している指静脈データが、この客についての最終的な指静脈データとして登録される。
【００３９】
最終的な指静脈データの登録が完了すると、表示操作部１６には、図５Ｇに示すように、今まで客が入力したパスワードや誕生日が表示されるので、客は、これらの内容に間違いがなければ、「とうろくする」と記されたタッチキー６３を押す。
すると、この客に対してメダル預払機２から会員番号が割り当てられ、表示操作部１６には、図５Ｈに示すように、当該会員番号（図５Ｈでは、１２３４５６）と、この客のパスワード（図５Ｈでは、１２３４５６７８）および誕生日（図５Ｈでは、２０００年１２月２４日）とが表示される。客は、この内容でよければ、ＯＫキー６４を押す。これに応じて、前述した会員テーブル５０（図４Ａ参照）には、この客についての情報が新規登録され、この客の指静脈データが指静脈データテーブル５２（図４Ｃ参照）に新規登録される。
【００４０】
そして、ＯＫキー６４を押すと、表示操作部１６には、図５Ｉに示すように、「ありがとうございました」という見出しがついた終了画面が表示されるので、この終了画面におけるＯＫキー６５を押すと、一連の会員登録の手続きが完了する。
図６Ａ〜図６Ｈは、メダルを預け入れる場合におけるメダル預払機２の表示操作部１６の表示内容を示す図である。
【００４１】
次に、図６Ａ〜図６Ｈを参照して、メダルの預入の手順について説明する。
待機状態のメダル預払機２の表示操作部１６には、図６Ａに示す待機画面が表示されている。待機画面には、「メダルをあずける」と記された預入キー６５と、「メダルをとりだす」と記された払出キー６６とが表示されている。
メダルを預け入れたい客は、最初に、預入キー６５を押す。
【００４２】
すると、図６Ｂに示すように、「パスワードを押してね  できたら［ＯＫ］を押してね」という見出しがついたパスワード入力画面が表示操作部１６に表示されるので、客は、表示操作部１６に表示されたテンキー６７を操作して、自身のパスワードを入力する。入力されたパスワードは、表示操作部１６に表示されるので、客は、入力内容に間違いがなければ、表示操作部１６に表示されたＯＫキー６８を押す。
【００４３】
客がＯＫキー６８を押すと、図６Ｃに示すように、「手をひろげて指をおいてね  指を動かさないでね」という見出しがついた画面が表示操作部１６に表示される。この画面には、前述した指静脈認証部１９のイラスト６２が表示されている。客は、この画面の内容に沿って、自分の指（会員登録のときに指静脈データを登録した指）を指静脈認証部１９の指セット部１９Ａ（図２参照）に１回セットする。客が指を指セット部１９Ａにセットするのに応じて、指静脈認証部１９が当該指の指静脈データを取得する。メダル預払機２では、制御部４０（図３参照）が、指静脈認証部１９が取得した指静脈データと、先程パスワードを入力した客の会員番号に関連付けて指静脈データテーブル５２（図４Ｃ参照）に登録された指静脈データとを照合する。その結果、指静脈認証部１９が取得した指静脈データと、指静脈データテーブル５２に登録された指静脈データとが一致すれば、客の本人確認が正常に完了する。
【００４４】
本人確認が正常に完了したのに応じて、表示操作部１６には、図６Ｄに示すように、「［入口をあける］を押してね  メダルを入れてね」という見出しがついた画面が表示される。この画面には、メダル預払機２におけるメダル預入口１７付近（図２参照）を示したイラスト６９と、「入口をあける」と記されたタッチキー７０とが表示されている。客は、この画面の内容に沿って、タッチキー７０を押す。すると、制御部４０が預入部４１（図３参照）を駆動させることによって、メダル預入口１７を閉じていたシャッター１８（図２参照）が開く。
【００４５】
シャッター１８が開いてメダル預入口１７が開放されるのに応じて、表示操作部１６には、図６Ｅに示すように、「メダルを入れて［かぞえる］を押してね」という見出しがついた画面が表示される。この画面には、メダルカップ１５のメダルＭをメダル預入口１７に投入している様子を示したイラスト７１と、「かぞえる」と記されたタッチキー７２とが表示されている。客は、この画面の内容に沿って、自身のメダルをメダル預入口１７に投入し、その後、タッチキー７２を押す。すると、制御部４０が預入部４１（図３参照）を駆動させることによって、シャッター１８（図２参照）を閉じてメダル預入口１７を閉鎖する。
【００４６】
シャッター１８が閉じるのに応じて、制御部４０は、計数部４３（図３参照）に指令を出して、先程投入されたメダルを計数させる。メダルの計数中、表示操作部１６には、図６Ｆに示すように、「メダルをかぞえているよ」という見出しがついた画面が表示される。この画面には、現在の計数値（図６Ｆでは、１２３４枚）がリアルタイムで表示される。
【００４７】
計数が完了すると。表示操作部１６には、図６Ｇに示す計数結果表示画面が表示される。この画面には、「かぞえたメダル」という項目の右隣に、今回の計数結果（図６Ｇでは、１２３４枚）が表示される。ここで、計数をした当日が、この計数をした客の誕生日である場合には、遊技店から所定枚数のメダルがプレゼントメダルとして客に付与される。プレゼントメダルが付与される場合、この画面には、「プレゼントメダル」という項目の右隣に、プレゼントメダルの枚数（図６Ｇでは、２０１枚）が表示される。そして、この画面では、今回の計数結果およびプレゼントメダルの枚数を加味した現時点での貯メダル数（図６Ｇでは、５６７８９０枚）が、「ちょきんばこの中のメダル」という項目の右隣に表示される。さらに、この画面には、貯メダルの有効期限（図６Ｇでは、２０１０年１２月２４日）も表示される。メダルを預け入れた客は、この画面の内容でよければ、ＯＫキー７３を押す。これにより、制御部４０は、今回の取引に関する取引データ（預入枚数や貯メダル数等）を管理装置３に送信する。管理装置３のＤＢ３３（図３参照）では、受信された取引データに基づいて、会員テーブル５０（図４Ａ参照）において該当する客の貯メダル数が更新されるとともに、履歴テーブル５３（図４Ｄ参照）において、当該客における今回の取引（預入）の履歴が新たに追加される。
【００４８】
そして、客がＯＫキー７３を押すのに応じて、表示操作部１６には、図６Ｈに示すように、「ありがとうございました」という見出しがついた終了画面が表示されるので、この終了画面におけるＯＫキー７４を押すと、一連のメダル預入の手続きが完了する。
図７Ａ〜図７Ｈは、メダルを払い出す場合におけるメダル預払機２の表示操作部１６の表示内容を示す図である。
【００４９】
次に、図７Ａ〜図７Ｈを参照して、メダルの払出の手順について説明する。なお、ここでは、これからメダルを払い出そうとする客が貯メダルを有していることが前提である。
待機状態のメダル預払機２の表示操作部１６には、図７Ａに示す（前述した）待機画面が表示されている。
メダルを払い出したい客は、最初に、待機画面における払出キー６６を押す。
【００５０】
すると、図７Ｂに示すように、「パスワードを押してね  できたら［ＯＫ］を押してね」という見出しがついたパスワード入力画面が表示操作部１６に表示されるので、客は、表示操作部１６に表示されたテンキー７５を操作して、自身のパスワードを入力する。入力されたパスワードは、表示操作部１６に表示されるので、客は、入力内容に間違いがなければ、表示操作部１６に表示されたＯＫキー７７を押す。
【００５１】
客がＯＫキー７７を押すと、図７Ｃに示すように、「手をひろげて指をおいてね  指を動かさないでね」という見出しがついた画面が表示操作部１６に表示される。この画面には、前述した指静脈認証部１９のイラスト６２が表示されている。客は、この画面の内容に沿って、自分の指（会員登録のときに指静脈データを登録した指）を指静脈認証部１９の指セット部１９Ａ（図２参照）に１回セットする。客が指を指セット部１９Ａにセットするのに応じて、指静脈認証部１９が当該指の指静脈データを取得する。すると、メダル預払機２では、制御部４０が、前述したように指静脈データの照合によって、客の本人確認を行う。
【００５２】
本人確認が正常に完了したのに応じて、表示操作部１６には、図７Ｄに示すように、「はらいだすメダルの枚数を押してね  できたら［ＯＫ］を押してね」という見出しがついた払出枚数入力画面が表示される。この払出枚数入力画面には、本人確認が完了した客の貯メダル数（図７Ｄでは、１２３４５６枚）と、この貯メダル数の中から今回払い出しができる上限枚数（図７Ｄでは、９９９９枚）とが表示されている。また、この払出枚数入力画面には、テンキー７７が表示されているので、客は、テンキー７７を操作することによって、今回払い出したいメダルの枚数を指定する。指定した払出枚数が払出枚数入力画面に表示されるので（図７Ｄでは、１２３４枚）、客は、この枚数でよければ、ＯＫキー７８を押す。
【００５３】
すると、表示操作部１６には、図７Ｅに示すように、「メダル出口にメダルカップをおいてね  ［メダルをだす］を押してね」という見出しがついた画面が表示される。この画面には、メダル払出口１３にメダルカップ１５をセットした様子を示したイラスト７９と、「メダルをだす」と記されたタッチキー８０とが表示されている。客は、この画面の内容に沿って、メダルカップ１５をメダル払出口１３内にセットし、その後、タッチキー８０を押す。すると、制御部４０が払出部４２（図３参照）を駆動させることによって、払出部４２が、指定された枚数のメダルをメダル払出口１３に払い出す。
【００５４】
メダルの払出中、表示操作部１６には、図７Ｆに示すように、「メダルを出しているよ」という見出しがついた画面が表示される。この画面には、現在の払出が完了したメダルの枚数（図７Ｆでは、１２３４枚）がリアルタイムで表示される。
払出が完了すると。表示操作部１６には、図７Ｇに示す払出結果の画面が表示される。この画面には、「はらいだしたメダル」という項目の右隣に、今回払い出したメダルの枚数（図７Ｇでは、１２３４枚）が表示される。そして、この画面では、払い出したメダルの枚数を差し引いた後の現時点での貯メダル数（図７Ｇでは、５６７８９０枚）が、「ちょきんばこの中のメダル」という項目の右隣に表示される。さらに、この画面には、貯メダルの有効期限（図７Ｇでは、２０１０年１２月２４日）も表示されている。そして、メダルの払出を受けた客は、この画面の内容でよければ、ＯＫキー８１を押す。これにより、制御部４０は、今回の取引に関する取引データ（払出枚数や貯メダル数等）を管理装置３に送信する。管理装置３のＤＢ３３（図３参照）では、受信された取引データに基づいて、会員テーブル５０（図４Ａ参照）において該当する客の貯メダル数が更新されるとともに、履歴テーブル５３（図４Ｄ参照）において、当該客における今回の取引（払出）の履歴が新たに追加される。
【００５５】
そして、客がＯＫキー８１を押すのに応じて、表示操作部１６には、図７Ｈに示すように、「ありがとうございました」という見出しがついた終了画面が表示されるので、この終了画面におけるＯＫキー８２を押すと、一連の払出の手続きが完了する。
次に、メダル預払機２で行われる制御動作について説明する。ここでの制御動作は、管理装置３が故障等でダウンすることによって、前述した複数（ここでは、５台）のメダル預払機２のそれぞれと管理装置３との間で通信異常が発生する場合を想定している（図１参照）。
【００５６】
このメダル預払システム１では、通信異常がない場合には各メダル預払機２は、管理装置３との間で通信しながら処理を行う通常運転（いわゆるオンライン運転）を実行する。通常運転とは、複数のメダル預払機２のそれぞれと管理装置３との間で通信が可能な通常状態において、各メダル預払機２が、会員登録やメダルの預払の取引があった場合に、これらの取引に関するデータや信号のやりとりを管理装置３との間で行うことである。一方、通信異常が発生した場合、通信異常中は、親機２Ａが管理装置３の代替機として稼動し、各メダル預払機２は、縮退運転（いわゆるオフライン運転）を実行するようになっている。縮退運転とは、各メダル預払機２が親機２Ａを管理装置３の代替機とみなして、前述した取引に関するデータや信号のやりとりを、管理装置３との間でなく、親機２Ａとの間で行うことである。縮退運転の具体的な内容については、以降で説明する。
【００５７】
図８は、子機のメダル預払機２Ｂにおいて行われる制御動作を示すフローチャートである。
まず、子機のメダル預払機２Ｂでの制御動作について、図８を参照しながら説明する。
子機２Ｂの制御部４０（図３参照）は、親機２Ａが管理装置３として稼動中であるか否か（つまり、既に通信異常中であるか否か）を監視している（ステップＳ１）。
【００５８】
通信異常中でない場合において（ステップＳ１でＮＯ）、所定のタイミングになると（ステップＳ２でＹＥＳ）、制御部４０は、試験信号を管理装置３に送信する（ステップＳ３）。試験信号を送信した後に管理装置３からの応答信号を制御部４０が受信すると、通信成功になる（ステップＳ４でＹＥＳ）。つまり、制御部４０は、ステップＳ２〜Ｓ４において、所定のタイミングになる度に、試験信号を管理装置３に送信することで、管理装置３との間で通信が正常に行えるか否かをチェックしている。
【００５９】
通信状態をチェックする所定のタイミングでない場合において（ステップＳ２でＮＯ）、制御部４０は、前述した会員登録やメダルの預払（預入や払出）等に関して管理装置３と取引があるか否かを監視している（ステップＳ５）。取引があれば（ステップＳ５でＹＥＳ）、制御部４０は、その取引において管理装置３との間で通信が成功したか否かを確認する（ステップＳ４）。
【００６０】
ステップＳ３（通信状態のチェック）やステップＳ５（管理装置３との取引）において通信が成功した場合（ステップＳ４でＹＥＳ）、制御部４０は、待機状態に戻って、ステップ１以降の処理を繰り返す。
一方、通信が成功しなかった場合（ステップＳ４でＮＯ）、当該制御部４０を有するメダル預払機２と管理装置３との間での通信異常が発生している。この場合、制御部４０は、自身のメダル預払機２と管理装置３との間での通信異常を検出したことになり、通信異常を検出したことに応じて、当該通信異常を親機２Ａに送信（通知）する（ステップＳ６）。これに応じて、後述するように通信異常を受信した親機２Ａから、縮退運転を実行する旨の指示（縮退運転実行指示）が送信されてくるので、制御部４０は、この指示を受信すると（ステップＳ７でＹＥＳ）、通信異常中は、親機２Ａを管理装置３の代替機に設定して、縮退運転を実行する（ステップＳ８）。
【００６１】
また、通信状態のチェックを行うタイミングでなく（ステップＳ２でＮＯ）、管理装置３との取引もない場合において（ステップＳ５でＮＯ）、別のメダル預払機２と管理装置３との間で通信異常が発生すると、親機２Ａから縮退運転実行指示が送信されてくる。この場合においても、制御部４０は、この指示を受信すると（ステップＳ７でＹＥＳ）、縮退運転を実行する（ステップＳ８）。
【００６２】
なお、管理装置３との間で通信異常があった子機２Ｂの制御部４０は、ステップＳ６において、親機２Ａだけでなく、他の子機２Ｂに対して通信異常を通知してもよい。その場合、各子機２Ｂの制御部４０は、当該通信異常の通知を、縮退運転実行指示の受信とみなして（ステップＳ７でＹＥＳ）、縮退運転を実行する（ステップＳ８）。
ステップＳ１において親機２Ａが管理装置３として稼動中である場合、つまり、既に通信異常中である場合（ステップＳ１でＹＥＳ）、制御部４０は、通信異常が解消されたか否かを監視している。通信異常が解消されると、親機２Ａから、縮退運転を中止する旨の指示（縮退運転中止指示）が送信されるので、制御部４０は、当該指示を受信したか否かを監視している（ステップＳ９）。制御部４０は、当該指示を受信すると（ステップＳ９でＹＥＳ）、縮退運転を中止し、通常運転を再開する（ステップＳ１０）。
【００６３】
図９は、親機のメダル預払機２Ａにおいて行われる制御動作を示すフローチャートである。
次に、親機のメダル預払機２Ａでの制御動作について図９を参照しながら説明する。
親機２Ａの制御部４０（図３参照）は、自身が管理装置３として稼動中であるか否か（つまり、既に通信異常中であるか否か）を監視している（ステップＳ２１）。
【００６４】
通信異常中でない場合において（ステップＳ２１でＮＯ）、所定のタイミングになると（ステップＳ２２でＹＥＳ）、制御部４０は、試験信号を管理装置３に送信する（ステップＳ２３）。試験信号を送信した後に管理装置３からの応答信号を制御部４０が受信すると、通信成功になる（ステップＳ２４でＹＥＳ）。つまり、親機２Ａの制御部４０は、子機２Ｂの場合と同様に（ステップＳ２〜Ｓ４）、ステップＳ２２〜Ｓ２４において、所定のタイミングになる度に、試験信号を管理装置３に送信することで、管理装置３との間で通信が正常に行えるか否かをチェックしている。
【００６５】
通信状態をチェックする所定のタイミングでない場合において（ステップＳ２２でＮＯ）、制御部４０は、前述した会員登録やメダルの預払等に関して管理装置３と取引があるか否かを監視している（ステップＳ２５）。取引があれば（ステップＳ２５でＹＥＳ）、制御部４０は、その取引において管理装置３との間で通信が成功したか否かを確認する（ステップＳ２４）。
【００６６】
ステップＳ２３（通信状態のチェック）やステップＳ２５（管理装置３との取引）において通信が成功した場合（ステップＳ２４でＹＥＳ）、制御部４０は、待機状態に戻って、ステップＳ２１以降の処理を繰り返す。
一方、通信が成功しなかった場合（ステップＳ２４でＮＯ）、当該制御部４０を有するメダル預払機２（親機２Ａ）と管理装置３との間での通信異常が発生している。この場合、制御部４０は、自身のメダル預払機２と管理装置３との間での通信異常を検出したことになり、この検出に応じて、縮退運転実行指示を各子機２Ｂに送信する（ステップＳ２６）。縮退運転実行指示を受信した各子機２Ｂ（全ての子機２Ｂ）は、縮退運転を実行する（図８のステップＳ８）。そして、制御部４０は、通信異常中は、自身のメダル預払機２（親機２Ａ）を管理装置３の代替機として稼動させて、縮退運転を実行する（ステップＳ２７）。
【００６７】
また、通信状態のチェックを行うタイミングでなく（ステップＳ２２でＮＯ）、管理装置３との取引もない場合において（ステップＳ２５でＮＯ）、いずれか子機２Ｂと管理装置３との間で通信異常が発生すると、管理装置３との間で通信異常が発生した（通信異常を検出した）子機２Ｂから、当該子機２Ｂの識別番号（号機番号等）に関連付けて通信異常が送信されてくる。親機２Ａの制御部４０は、当該通信異常を受信すると（ステップＳ２８でＹＥＳ）、縮退運転実行指示を各子機２Ｂに送信してから（ステップＳ２６）、通信異常中において、親機２Ａを管理装置３の代替機として稼動させて、縮退運転を実行する（ステップＳ２７）。
【００６８】
つまり、この場合、親機２Ａの制御部４０は、親機２Ａが子機２Ｂから通信異常（前述した号機番号も含む）の通知を受けたのに応じて、各メダル預払機２（親機２Ａを含む全てのメダル預払機２）に対して縮退運転を実行させる。そのため、複数のメダル預払機２のうち、管理装置３との間で通信異常が発生したメダル預払機２がどれなのかが分かるので使い勝手がよい。さらに、管理装置３との間で通信異常が発生したメダル預払機２からの通知を親機２Ａが受けてから、各メダル預払機２の縮退運転が開始されるので、各子機２Ｂと管理装置３との間で通信異常が発生していないのにもかかわらず、誤って縮退運転が開始される不具合を防止できる。
【００６９】
なお、以上のように各メダル預払機２が通信異常に気付くことで自動的に各メダル預払機２が縮退運転を実行する以外に、係員が通信異常に気付いて各メダル預払機２に対して手動で縮退運転を実行させてもよい。
そして、ステップＳ２１において親機２Ａが管理装置３として稼動中である場合、つまり、既に通信異常中である場合（ステップＳ２１でＹＥＳ）、制御部４０は、通信異常が解消されたか否かを監視している。通信異常が解消されると、管理装置３との間で通信異常があった子機２Ｂ（または管理装置３自身）から、通信異常が解消された旨（通信異常解消）が送信されてくる。制御部４０は、この通信異常解消を受信すると（ステップＳ２９でＹＥＳ）、通信異常中に各子機２Ｂや自身（親機２Ａ）で会員登録やメダルの預払の取引があった場合に親機２Ａで取得されたデータ（取引データ）を、管理装置３に送信する（ステップＳ３０）。
【００７０】
一方、子機２Ｂからの通信異常解消を受信していない場合において（ステップＳ２９でＮＯ）、実は親機２Ａと管理装置３との間で通信異常があって、当該通信異常が解消された場合にも（ステップＳ３１でＹＥＳ）、親機２Ａの制御部４０は、ステップＳ３０の処理を行う。
制御部４０がステップＳ３０において取引データを管理装置３に送信すると、当該取引データを受信した管理装置３の制御部３０は、当該取引データに基づいて、自身のＤＢ３３における管理データを更新し（図３参照）、更新完了後は、その旨の通知（更新通知）を親機２Ａに送信するようになっている。親機２Ａの制御部４０は、この更新通知を受信すると（ステップＳ３２でＹＥＳ）、管理装置３の代替機としての稼動を停止するとともに、各子機２Ｂに対して、前述した縮退運転中止指示を送信する（ステップＳ３３）。これにより、各メダル預払機２では、通常運転を再開する。つまり、親機２Ａの制御部４０は、管理装置３での管理データの更新が完了したのに応じて、親機２Ａを含む各メダル預払機２に対して、縮退運転を中止させ、通所運転を再開させる。このように、通信異常が解消すると、通信異常中に親機２Ａで取得されたデータに基づいて管理装置３の管理データが更新されるので、管理装置３は、正常に復旧できる。管理装置３が復旧すると、各メダル預払機２は通常運転を再開できる。
【００７１】
ここで、親機２Ａおよび子機２Ｂのそれぞれの制御部４０のまとまりを、メダル預払システム１全体における１つの制御部４０とみなすことができる。この場合、この制御部４０（制御部４０のまとまり）は、以上のように、各メダル預払機２と管理装置３との間での通信異常を検出するとともに（ステップＳ４、ステップＳ２４）、その検出に応じて、通信異常中は、親機２Ａを管理装置３の代替機として稼動させて全てのメダル預払機２の縮退運転を実行する（ステップＳ８、ステップＳ２７）。
【００７２】
以上のように、管理装置３と各メダル預払機２との間で通信異常が発生した場合において、通信異常中は、複数のメダル預払機２のうちで親機２Ａに設定された１台が、管理装置３の代替機として稼動し、各メダル預払機２が縮退運転するので、各メダル預払機２での取引を継続できる（図１参照）。
ここで、複数のメダル預払機２のうちのいずれもが親機２Ａに設定できるので、特定のメダル預払機２だけを他のメダル預払機２よりも高スペックのものにしなくても済み、これら全てのメダル預払機２を同じスペックのものに統一できる。よって、通信異常が発生した場合に各メダル預払機２での取引を継続できる構成を、低コストで実現できる。
【００７３】
また、前述したように親機２Ａおよび子機２Ｂのそれぞれの制御部４０のまとまりを１つの制御部４０とみなすと、この制御部４０（制御部４０のまとまり）は、通信異常解消後において、管理装置３での管理データの更新完了に応じて、各メダル預払機２に対して縮退運転を中止させ、通常運転を再開させる（ステップＳ１０、ステップＳ３３）。
次に、以上のようにメダル預払機２が通常運転または縮退運転ができることを踏まえて、メダル預払システム１内で実施される処理について説明する。
【００７４】
図１０は、メダル預払システム１を起動する際にメダル預払システム１内で実施される処理を説明するための図である。
まず、図１０を参照して、遊技店における朝一の営業開始に伴ってメダル預払システム１を起動する際の処理について説明する。図１０では、紙面下方へ向けて時間が経過していく（後述する図１１Ａ〜図１２においても同様）。
【００７５】
メダル預払システム１の起動に伴って各メダル預払機２および管理装置３において電源がＯＮになると（ステップＳ４１）、管理装置３が、親機２Ａおよび全ての子機２Ｂに設定データを送信する。設定データには、当日が誕生日の客に付与するプレゼントメダルの枚数や、一度に払い出すことができるメダルの上限枚数等が含まれている。つまり、設定データが管理装置３および各メダル預払機２で共有される。
【００７６】
次いで、各メダル預払機２は、管理装置３に対して未送信データを送信する。未送信データには、メダル預払システム１の起動前にあった縮退運転における前述した取引データ（図９のステップＳ３０参照）が含まれている。各子機２Ｂの未送信データは、子機２Ｂから管理装置３に直接送信されてもよいし、親機２Ａで一旦集約されてから管理装置３に送信されてもよい。未送信データがあった場合には、管理装置３は、受信した未送信データに基づいてＤＢ３３内の管理データ（図４Ａ〜図４Ｄ参照）を更新する（ステップＳ４２）。つまり、図１０において破線で囲った部分の処理は、前回の通信異常によって未送信データ（取引データ）があった場合におけるＤＢ３３のリカバリ処理である。
【００７７】
ステップＳ４２の後、管理装置３は、会員情報と、認証データと、係員情報とを親機２Ａに送信し、係員情報を子機２Ｂにも送信する。
会員情報とは、ＤＢ３３の会員テーブル５０（図４Ａ参照）や履歴テーブル５３（図４Ｄ参照）に登録された会員についての情報である。管理装置３は、全会員についての会員情報を親機２Ａに送信する。そのため、親機２Ａは、会員テーブル５０および履歴テーブル５３の全ての情報を管理装置３と共有した状態になる。なお、会員情報には、後述する取引一時データも含まれている。取引一時データは、会員毎に存在するデータであり、本日プレゼントメダルを付与するか否かについてや、本日払い出すことができるメダルの上限枚数についての情報等が含まれている。
【００７８】
認証データとは、ＤＢ３３の指静脈データテーブル５２に記録された会員や係員の指静脈データのことである（図４Ｃ参照）。前述したように、指静脈データは、１件の情報量が膨大であるが、親機２Ａを含めた各メダル預払機２のメモリ部４４（図３参照）のメモリ容量は、比較的少ない。そのため、管理装置３は、全会員の認証データではなく、来店回数の多い等の所定の条件を満たす会員（いわゆる常連客）の認証データに絞って、所定件数（ここでは、全部で３万件のうちの１万件）の認証データだけを抜粋して親機２Ａに送信する。そのため、親機２Ａは、指静脈データテーブル５２の一部の情報を管理装置３と共有した状態になる。
【００７９】
係員情報とは、ＤＢ３３の係員テーブル５１に登録された係員についての情報と、各係員の認証データとを含んでいる（図４Ｂおよび図４Ｃ参照）。管理装置３は、全係員についての係員情報を親機２Ａおよび各子機２Ｂに送信する。そのため、親機２Ａおよび各子機２Ｂは、係員テーブル５１の全ての情報を管理装置３と共有した状態になる。なお、各子機２Ｂは、係員情報において、認証データは記憶していなくてもよい。
【００８０】
親機２Ａおよび各子機２Ｂは、このように管理装置３から送信された各種情報を自身のメモリ部４４（図３参照）において記録する。このとき、親機２Ａの制御部４０は、通信異常のない通常状態において、管理装置３の管理データ（ＤＢ３３内のデータ）をメモリ部４４において新たにバックアップ管理することになる。特に、親機２Ａのメモリ部４４では、当該管理データにおいて情報量が膨大な特定種類のデータ（認証データ）については、その一部をバックアップ管理することになる。そのため、親機２Ａは、管理装置３の管理データの全てをバックアップ管理できる程度の高スペックを有していなくてもよいので、親機２Ａに設定できる全てのメダル預払機２を、同じ低スペックのものに統一できる。よって、通信異常が発生した場合に各メダル預払機２での取引を継続できる構成を、より低コストで実現できる。
【００８１】
その後、メダル預払システム１は、待機を開始し、各メダル預払機２では、取引が可能になる（ステップＳ４３）。
なお、ＤＢ３３（図３参照）において、先程管理装置３から親機２Ａや子機２Ｂに送信された会員情報や認証データや係員情報に変更があった場合には、その都度、変更された情報が管理装置３から親機２Ａや子機２Ｂに送信され、親機２Ａや子機２Ｂでは、該当するデータの更新が行われる。
【００８２】
図１１Ａおよび図１１Ｂは、メダル預払機２でメダルの預け入れや払い出しに関する取引が行われる際にメダル預払システム１内で実施される処理を説明するための図である。
次に、図１１Ａおよび図１１Ｂを参照して、待機中のメダル預払システム１において各メダル預払機２での預入や払出の取引が行われた場合における処理について説明する。
メダル預払システム１が待機中にある場合（ステップＳ５１）、たとえば、子機２Ｂにおいて客によって表示操作部１６の預入キー６５または払出キー６６（図６Ａおよび図７Ａ参照）が押されることで、当該子機２Ｂに対してメダルの預入または払出の指示があったとする（ステップＳ５２）。この指示があると、前述したように（図６Ｂおよび図７Ｂ参照）、客が自身のパスワードを入力する（ステップＳ５３）。
【００８３】
パスワードの入力を受けた子機２Ｂの制御部４０（図３参照）は、管理装置３に対して当該パスワードを問い合わせる。具体的に、制御部４０は、管理装置３に対して、当該パスワードに関連付けられたデータがＤＢ３３（図３参照）にあるか否かを問い合わせる。パスワードの問い合わせを受けた管理装置３では、制御部３０（図３参照）が、当該パスワードに関連付けられた会員情報（会員番号や、誕生日や、貯メダル数や履歴であり、図４Ａおよび図４Ｄ参照）と、当該パスワードに関連付けられた会員番号の指静脈データ（認証データ）とを、ＤＢ３３の各テーブル５１〜５３（図４Ａ〜図４Ｄ参照）において検索する。また、問い合わせを受けたパスワードが係員のパスワードである場合があり、この場合、管理装置３の制御部３０は、当該パスワードに関連付けられた係員情報（図４Ｂ参照）と、当該パスワードに関連付けられた係員ＩＤの指静脈データ（認証データ）とを検索する。また、別々の客または係員であっても、パスワードが重複している場合があり、その場合には、管理装置３の制御部３０は、該当するパスワードに関連付けられた全て会員や係員についての会員情報や係員情報や指静脈データを検索する。
【００８４】
検索の結果、該当する会員情報や係員情報や指静脈データがあれば、管理装置３の制御部３０は、これらの情報やデータを含んだ応答データを、問い合わせをしてきた子機２Ｂに送信する。ここで、応答データには、全会員の指静脈データではなく、入力されたパスワードの指静脈データだけが含まれているので、応答データの情報量を極力少なく抑えることができる。
【００８５】
子機２Ｂの制御部４０は、受信した応答データを、メモリ部４４（図３参照）において一時的に記録する。なお、係員情報や係員の指静脈データは、前述した起動時に各メダル預払機２のメモリ部４４（図３参照）に記録されているので（図１０参照）、これらの情報については、管理装置３に問い合わせが行われずに、子機２Ｂ内で検索が行われてもよい。
【００８６】
ただし、通信異常があった場合、前述したパスワード問い合わせおよび応答データの送信（図１１Ａにおいて破線で囲まれた部分）は、メダル預払機２間で行われる。つまり、子機２Ｂの制御部４０（図３参照）は、縮退運転として、パスワードを、管理装置３の代替機である親機２Ａに問い合わせる。そして、親機２Ａの制御部４０が、縮退運転として、管理装置３の代わりに、自身のメモリ部４４（図３参照）で記録している会員情報や認証データや係員情報（起動時に管理装置３から送信されてバックアップ管理していた情報）の中から、問い合わせのあったパスワードに関連付けられたデータを検索する。そして、該当する会員情報や係員情報や指静脈データがあれば、親機２Ａの制御部４０は、応答データを、問い合わせをしてきた子機２Ｂに送信する。このように、通信異常中において、親機２Ａは、それまでの通常状態でバックアップ管理していた管理データに基づいて、管理装置３の代替機として稼動できることから、各メダル預払機２の縮退運転による各メダル預払機２での取引を確実に継続できる。
【００８７】
なお、親機２Ａのメモリ部４４に、該当する会員情報や係員情報や指静脈データがなければ、その会員情報の会員について縮退運転ができないので、係員が直接取引を行う。
そして、通信異常の有無にかかわらず、このように応答データを受信した子機２Ｂでは、先程パスワードを入力した客についての指静脈認証（前述した指静脈データの照合であり、図６Ｃおよび図７Ｃ参照）が行われる（ステップＳ５４）。つまり、当該客が自身の指を指静脈認証部１９の指セット部１９Ａ（図２参照）にセットすることで、この指の指静脈データが指静脈認証部１９によって取得される。すると、この子機２Ｂの制御部４０は、今回取得した指静脈データと、先程受信した応答データに含まれる指静脈データとを照合して、当該客の本人確認を行う。
【００８８】
ただし、客による指セット部１９Ａへの指のセットが不適切であったり、客の指に傷があったりする場合等には、指静脈データの照合（指静脈認証）がうまくいかないことがある。指静脈認証部１９による客の指静脈データの取得が所定回数（たとえば、３回）繰り返されても指静脈認証（本人確認）がうまくいかない場合には（ステップＳ５４でＮＯ）、この子機２Ｂでは、表示操作部１６において客から誕生日の入力を受け付ける（図５Ｂ参照）。制御部４０は、入力された誕生日と、先程受信した応答データに含まれる会員情報の誕生日とを照合して、当該客の本人確認を行う。なお、誕生日以外にも、本人を特定できる他の情報（住所や電話番号等）を適宜組み合わせて本人確認を行ってもよい。
【００８９】
誕生日による本人確認がうまくいかなかった場合（ステップＳ５５でＮＯ）、制御部４０は、今回の預入または払出に関する取引をキャンセルする（ステップＳ５６）。
指静脈データによる本人確認がうまくいった場合（ステップＳ５４でＹＥＳ）、または、指静脈データによる本人確認がうまくいかなくても、誕生日による本人確認がうまくいった場合（ステップＳ５５でＹＥＳ）、この子機２Ｂの制御部４０は、本人確認（会員特定）が完了した旨の通知（会員特定完了通知）を管理装置３に送信する。管理装置３の制御部３０は、この通知を受信すると、会員情報をロックする（ステップＳ５７）。つまり、管理装置３は、会員特定完了通知を送信してきた子機２Ｂにおいて先程本人確認が済んだ会員についての会員情報（図４Ａおよび図４Ｄ参照）が勝手に更新されないようにする。これにより、当該子機２Ｂ以外のメダル預払機２では、当該子機２Ｂにて現在取引をしている客についての取引（二重取引）ができないようになる。
【００９０】
そして、管理装置３の制御部３０は、ステップＳ５７の後、取引一時データを、会員特定完了通知を送信してきた子機２Ｂに送信する。取引一時データには、当該子機２Ｂにおいて先程本人確認が済んだ客固有の情報（たとえば、この客に対して本日プレゼントメダルを付与するか否かや、この客に対して本日払い出すことができるメダルの上限枚数）が含まれている。
【００９１】
ただし、通信異常があった場合、前述した会員特定完了通知および取引一時データの送信（図１１Ａにおいて１点鎖線で囲まれた部分）は、メダル預払機２間で行われる。つまり、子機２Ｂの制御部４０（図３参照）は、縮退運転として、会員特定完了通知を、管理装置３の代替機である親機２Ａに問い合わせる。そして、親機２Ａの制御部４０が、縮退運転として、管理装置３の代わりに、自身のメモリ部４４（図３参照）でバックアップ管理している取引一時データを、問い合わせをしてきた子機２Ｂに送信する。このように、通信異常中において、親機２Ａは、それまでの通常状態でバックアップ管理していた管理データに基づいて、管理装置３の代替機として稼動できることから、各メダル預払機２の縮退運転による各メダル預払機２での取引を確実に継続できる。
【００９２】
会員特定完了通知を送信した子機２Ｂは、通信異常の有無にかかわらず、この取引一時データを受信すると、前述した応答データ（会員情報、認証データおよび係員情報）のうち、現在取引をしている客に関するもの以外のデータを、不要データとしてメモリ部４４（図３参照）等から破棄する（ステップＳ５８）。
前述した指静脈データによる本人確認が係員についての本人確認であったのであれば、係員が特定されたことになる。その場合（ステップＳ５９でＹＥＳ）、子機２Ｂは、係員モードになって、係員の指示によってメンテナンス等の処理を実行する（ステップＳ６０）。
【００９３】
ただし、以下では、指静脈データによる本人確認（ステップＳ５４）や誕生日による本人確認（ステップＳ５５）が会員についての本人確認であったとする。
その場合、図１１Ｂに示すように、この子機２Ｂの制御部４０は、先程受信した取引一時データに基づいて、現在取引している客に対して本日プレゼントメダルを付与するのか否かを確認する（ステップＳ６１）。付与するプレゼントメダルがあれば（ステップＳ６１でＹＥＳ）、制御部４０は、本日付与するプレゼントメダルが貯メダルとして今回預け入れられたとする取引データを作成する（ステップＳ６２）。この取引データには、取引相手である客の会員番号と、本日の日付と、プレゼントメダルの枚数（預入枚数とみなされる）と、当該プレゼントメダルの枚数を加味した最新の貯メダル数とが含まれている（図４Ａおよび図４Ｄ参照）。また、制御部４０は、ステップＳ６２において、当該取引データに基づいて、今回のプレゼントメダル付与に関する履歴を作成し、メモリ部４４（図３参照）に記録する。
【００９４】
その後、制御部４０は、先程作成した取引データを管理装置３に送信する。管理装置３の制御部３０は、受信した取引データに基づいてＤＢ３３（図３参照）における該当するデータを更新する（ステップＳ６３）。具体的には、制御部３０は、受信した取引データの客についての会員テーブル５０（図４Ａ参照）における貯メダル数を更新したり、当該客の履歴テーブル５３（図４Ｄ参照）に、今回の取引データを新しい履歴として追加したりする。
【００９５】
管理装置３の制御部３０は、ＤＢ３３の更新が完了すると、その旨を、応答通知として、取引データを送信してきた子機２Ｂに送信する。さらに、管理装置３の制御部３０は、自身が受信した取引データを親機２Ａに送信する。親機２Ａの制御部４０は、受信した取引データに基づいてメモリ部４４（図３参照）における該当するデータ（バックアップデータ）を、管理装置３の場合と同様に更新する（ステップＳ６４）。ステップＳ６４では、親機２Ａの制御部４０が、通信異常のない通常状態において、メモリ部４４でバックアップ管理しているデータ（管理装置３のＤＢ３３内の管理データと同じデータ）を更新する。
【００９６】
ただし、通信異常があった場合、前述した取引データおよび応答通知の送信（図１１Ｂにおいて破線で囲まれた部分）は、メダル預払機２間で行われる。つまり、子機２Ｂの制御部４０は、縮退運転として、取引データを、管理装置３の代替機である親機２Ａに送信する。そして、ステップＳ６３の処理が省略され、親機２Ａの制御部４０が、縮退運転として、受信した取引データに基づいてメモリ部４４（図３参照）における該当するデータを更新する（ステップＳ６４）。この場合、親機２Ａの制御部４０は、データの更新が完了すると、その旨を、応答通知として、取引データを送信してきた子機２Ｂに送信する。
【００９７】
子機２Ｂの制御部４０は、通信異常の有無にかかわらず、応答通知を受信したのに応じて、ステップＳ６５の処理を行う。ここでは、メダルの預入の取引であれば、客によって投入されたメダルを預入部４１（図３参照）が受け取るとともに、計数部４３（図３参照）が計数し（図６Ｅおよび図６Ｆ参照）、メダルの払出の取引であれば、客が指定した枚数のメダルを払出部４２（図３参照）が払い出す（図７Ｅおよび図７Ｆ参照）。
【００９８】
客によって投入されたメダル（預入メダル）の計数、または、メダルの払出が完了すると、子機２Ｂの制御部４０は、預入または払出に関する取引データを作成する（ステップＳ６６）。この取引データには、取引相手である客の会員番号と、本日の日付と、今回の取引が預入および払出のいずれであるかと、メダルの預入枚数または払出枚数と、当該預入枚数または払出枚数を加味した最新の貯メダル数とが含まれている（図４Ａおよび図４Ｄ参照）。また、制御部４０は、ステップＳ６６において、当該取引データに基づいて、今回の預入または払出に関する履歴を作成し、メモリ部４４（図３参照）に記録する。なお、メダルの預入や払出にトラブルがあった場合には、係員が、管理装置３にアクセスしなくても、子機２Ｂのメモリ部４４に記録された当該履歴（ステップＳ６２で記録された履歴も含む）に基づいて、トラブルの原因を探すことができる。
【００９９】
その後、制御部４０は、先程作成した取引データを管理装置３に送信する。管理装置３の制御部３０は、受信した取引データに基づいてＤＢ３３（図３参照）における該当するデータを更新する（ステップＳ６７）。具体的には、制御部３０は、受信した取引データの客についての会員テーブル５０（図４Ａ参照）における貯メダル数を更新したり、当該客の履歴テーブル５３（図４Ｄ参照）に、今回の取引データを新しい履歴として追加したりする。
【０１００】
管理装置３の制御部３０は、ＤＢ３３の更新が完了すると、その旨を、応答通知として、取引データを送信してきた子機２Ｂに送信する。さらに、管理装置３の制御部３０は、自身が受信した取引データを親機２Ａに送信する。親機２Ａの制御部４０は、受信した取引データに基づいてメモリ部４４（図３参照）における該当するデータを、管理装置３の場合と同様に更新する（ステップＳ６８）。ステップＳ６８では、親機２Ａの制御部４０が、通信異常のない通常状態において、メモリ部４４でバックアップ管理しているデータ（管理装置３のＤＢ３３内の管理データと同じデータ）を更新する。
【０１０１】
ただし、通信異常があった場合、前述した取引データおよび応答通知の送信（図１１Ｂにおいて１点鎖線で囲まれた部分）は、メダル預払機２間で行われる。つまり、子機２Ｂの制御部４０は、縮退運転として、取引データを、管理装置３の代替機である親機２Ａに送信する。そして、ステップＳ６７の処理が省略され、親機２Ａの制御部４０が、縮退運転として、受信した取引データに基づいてメモリ部４４（図３参照）における該当するデータを更新する（ステップＳ６８）。この場合、親機２Ａの制御部４０は、データの更新が完了すると、その旨を、応答通知として、取引データを送信してきた子機２Ｂに送信する。
【０１０２】
子機２Ｂの制御部４０は、通信異常の有無にかかわらず、応答通知を受信したのに応じて、客がＯＫキー７４（図６Ｈ参照）またはＯＫキー８２（図７Ｈ参照）を押すことで今回の取引が全て終了したか否かを確信する（ステップＳ６９）。
取引が終了すれば（ステップＳ６９でＹＥＳ）、制御部４０は、その旨を示す終了通知を管理装置３に送信する（ステップＳ７０）。管理装置３の制御部３０は、終了通知を受信したのに応じて、今回の客についての前述した会員情報のロックを解除する（ステップＳ７１）。これにより、当該客は、今回取引した子機２Ｂはもちろんのこと、他のメダル預払機２において、新しく取引ができるようになる。
【０１０３】
そして、通信異常中に親機２Ａで更新されたデータ（ステップＳ６４およびＳ６８）は、前述したように、通信異常が解消した後に、管理装置３に送信されて（図９のステップＳ３０）、管理装置３のＤＢ３３における管理データが更新される。
図１２は、メダル預払機２で会員登録が行われる際にメダル預払システム１内で実施される処理を説明するための図である。
【０１０４】
次に、図１２を参照して、待機中のメダル預払システム１において各メダル預払機２での会員登録の取引が行われた場合における処理について説明する。
メダル預払システム１が待機中にある場合（ステップＳ８１）、たとえば、子機２Ｂにおいて、これから会員登録しようとする客によって表示操作部１６（図５Ｂ参照）で誕生日が入力され（ステップＳ８２）、その後、表示操作部１６（図５Ｃ参照）でパスワードが入力される（ステップＳ８３）。
【０１０５】
誕生日およびパスワードの入力を受けた子機２Ｂの制御部４０は、入力されたパスワードと重複するパスワードがＤＢ３３（図４Ａや図４Ｂ参照）において既に登録されているか否かを管理装置３に問い合わせる（図３参照）。ただし、所定の件数（たとえば５件）までなら、パスワードの重複は許容される。このメダル預払機２では、本人確認の際、パスワードだけでなく、指静脈データも用いられるからである。
【０１０６】
問い合わせを受けた管理装置３の制御部３０は、問い合わせに係るパスワードと同じパスワードが既に登録されているか否かをＤＢ３３の会員テーブル５０（図４Ａ参照）や係員テーブル５１（図４Ｂ参照）において確認する。確認の結果、重複するパスワードが会員テーブル５０等に存在しない場合、または、存在したとしても前述した所定の件数未満（５件未満）しか存在しない場合には、制御部３０は、子機２Ｂにおいて今回入力されたパスワードがＯＫである旨の通知（パスワードＯＫ通知）を当該子機２Ｂに送信する。
【０１０７】
ただし、通信異常があった場合、パスワード重複の問い合わせおよびパスワードＯＫ通知の送信（図１２において破線で囲まれた部分）は、メダル預払機２間で行われる。つまり、子機２Ｂの制御部４０（図３参照）は、縮退運転として、パスワード重複の問い合わせを、管理装置３の代替機である親機２Ａに問い合わせる。そして、親機２Ａの制御部４０が、縮退運転として、管理装置３の代わりに、自身のメモリ部４４（図３参照）でバックアップ管理している会員情報や係員情報（起動時に管理装置３から送信された会員テーブル５０や係員テーブル５１の情報）の中から、問い合わせのあったパスワードが既に登録されているか否かを確認する。確認の結果、重複するパスワードがメモリ部４４に存在しない場合、または、存在したとしても前述した所定の件数未満しか存在しない場合には、親機２Ａの制御部４０は、前記パスワードＯＫ通知を当該子機２Ｂに送信する。このように、通信異常中において、親機２Ａは、それまでの通常状態でバックアップ管理していた管理データに基づいて、管理装置３の代替機として稼動できることから、各メダル預払機２の縮退運転による各メダル預払機２での取引を確実に継続できる。
【０１０８】
そして、通信異常の有無にかかわらず、このようにパスワードＯＫ通知を受信した子機２Ｂでは、指静脈認証部１９での客の指静脈データの読取り（取得）が、前述したように（図５Ｅ参照）、３回行われる（ステップＳ８４）。
その後、指静脈認証部１９が当該指の指静脈データをもう１回取得し、前述したように（図５Ｆ参照）、この客についての最終的な指静脈データが登録される（ステップＳ８５）。
【０１０９】
最終的な指静脈データの登録が完了すると、子機２Ｂの制御部４０は、今回の取引で得た会員情報（誕生日やパスワードや本日の日付等）と、先程登録した指静脈データ（認証データ）とを管理装置３に送信する。これらのデータを受信した管理装置３の制御部３０は、当該データを、新規会員データとして、会員テーブル５０（図４Ａ参照）および指静脈データテーブル５２（図４Ｃ参照）に登録し、今回新規会員となった客についての履歴テーブル５３（図４Ｄ参照）をＤＢ３３（図３参照）に新設する（ステップＳ８６）。
【０１１０】
その後、管理装置３の制御部３０は、今回の新規会員についての会員登録（ステップＳ８６におけるデータ登録）が確定した旨の通知（会員登録確定通知）を、会員登録のあった子機２Ｂに送信する。また、管理装置３の制御部３０は、ステップＳ８６で登録した新規会員データを親機２Ａに送信する。これに応じて、親機２Ａの制御部４０は、受信した新規会員データを、自身のメモリ部４４（図３参照）に登録（新規会員データ登録）する（ステップＳ８７）。ステップＳ８７では、親機２Ａの制御部４０が、通信異常のない通常状態において、管理装置３の管理データ（ＤＢ３３内のデータ）をメモリ部４４において新たにバックアップ管理することになる。
【０１１１】
ただし、通信異常があった場合、会員情報および認証データの送信ならびに会員登録確定通知の送信（図１２において１点鎖線で囲まれた部分）は、メダル預払機２間で行われる。つまり、子機２Ｂの制御部４０（図３参照）は、縮退運転として、会員情報および認証データを、管理装置３の代替機である親機２Ａに送信する。そして、親機２Ａの制御部４０は、縮退運転として、管理装置３の代わりに、自身のメモリ部４４（図３参照）において、新規会員データ登録（バックアップ登録）を行ない（ステップＳ８６）、その後、会員登録確定通知を、会員登録のあった子機２Ｂに送信する。この場合、ステップＳ８７の処理は省略される。通信異常中に親機２Ａで登録された新規会員データは、前述したように、通信異常が解消した後に、管理装置３に送信されて（図９のステップＳ３０）、管理装置３のＤＢ３３において新規登録される。
【０１１２】
そして、通信異常の有無にかかわらず、会員登録確定通知を受信した子機２Ｂの制御部４０は、今回新規会員となった客について自身のメモリ部４４（図３参照）等に一時的に記録されているデータを消去する（ステップＳ８８）。これによって、一連の会員登録の取引が完了し、メダル預払システム１が待機を開始する（ステップＳ８９）。
なお、図１０〜図１２では、子機２Ｂで取引があった場合について説明しているが、親機２Ａにおいて取引があった場合も、子機２Ｂで取引があった場合とほぼ同様である。ただし、子機２Ｂで取得されたデータが管理装置３へ送信されて、親機２Ａにバックアップ管理されるといったデータ処理は、親機２Ａの場合には、親機２Ａで取得されたデータが一旦管理装置３へ送信されてから親機２Ａにバックアップ管理されるというデータ処理になる。また、縮退運転において子機２Ｂが親機２Ａに対してデータを送信したり問い合わせしたりする処理は、親機２Ａが自分自身に対してデータを送信したり問い合わせしたりする処理になる。
【０１１３】
図１３は、会員テーブル５０を示す図である。図１４は、払出枚数を入力する際における表示操作部１６の表示内容（第１の態様）を示す図である。図１５は、払出枚数を入力する際における表示操作部１６の表示内容（第２の態様）を示す図である。
次に、図１３〜図１５を参照して、各メダル預払機２でメダルの払出取引を行う場合において、今回払い出すメダルの枚数（払出枚数）を入力する手順について説明する。
【０１１４】
図１３に示す会員テーブル５０には、前述した会員番号、パスワード、誕生日等の他に、払出枚数入力設定内容という情報が会員番号毎（会員毎）に記録されている。
払出枚数入力設定内容とは、メダルを払い出す際に払出枚数をどのように入力するかという内容であって、会員登録時等に客（会員）が任意に決めることができる。
払出枚数入力設定内容は、会員番号１２３４５６の会員の場合には、テンキー８５（図１５参照）によって、任意の払出枚数を直接入力（指定）するというものである。
【０１１５】
会員番号２３４５６７の会員の払出枚数入力設定内容は、直近の任意の所定回数（ここでは、４回）の払出枚数から選択するというものである。たとえば、図４Ｄの履歴テーブル５３を参照すると、直近４回の払出枚数は、２０１０年１２月５日の１００枚、２０１０年１１月２４日の８０枚、２０１０年１０月１３日の１００枚、および、２０１０年１０月１日の１２０枚なので、これらの払出枚数の中のいずれかが今回の払出枚数となる。
【０１１６】
図１３に戻り、会員番号３４５６７８の会員の払出枚数入力設定内容は、直近の任意の所定回数分（ここでは、４回分）の払出枚数の平均値を今回の払出枚数の候補とするというものである。たとえば、図４Ｄを参照すると、直近４回の払出枚数は、２０１０年１２月５日の１００枚、２０１０年１１月２４日の８０枚、２０１０年１０月１３日の１００枚、および、２０１０年１０月１日の１２０枚なので、これらの払出枚数の平均値が今回の払出枚数となる。
【０１１７】
図１３に戻り、会員番号４５６７８９の会員の払出枚数入力設定内容は、任意の所定タイミング（ここでは、２０１０年１０月）以降のメダル払い出し毎の払出枚数の平均値を今回の払出枚数の候補とするというものである。たとえば、図４Ｄを参照すると、２０１０年１０月以降の払出枚数は、２０１０年１２月５日の１００枚、２０１０年１１月２４日の８０枚、２０１０年１０月１３日の１００枚、および、２０１０年１０月１日の１２０枚なので、これらの払出枚数の平均値が今回の払出枚数となる。
【０１１８】
図１３に戻り、会員番号５６７８９０の会員の払出枚数入力設定内容は、この客についての履歴に含まれる今までの全件の払出枚数の平均値を今回の払出枚数の候補とするというものである。
会員番号６７８９０１の会員の払出枚数入力設定内容は、会員登録時に予め指定した指定値（ここでは、５０枚）を毎回の払出枚数とするというものである。
【０１１９】
メダルの払出取引を行うメダル預払機２の制御部４０（図３参照）は、前述した本人確認（図７Ｂおよび図７Ｃ参照）が正常に終了したときに、払出枚数入力画面（図７Ｄ参照）を表示操作部１６に表示して、客の所望する払出枚数の入力を表示操作部１６において受け付けるのだが、客の払出枚数入力設定内容に応じて、払出枚数入力画面の内容を変える。
【０１２０】
具体的に、制御部４０は、本人確認が終了したときに、会員テーブル５０を参照して、本人確認を行った客の払出枚数入力設定内容を確認する。今回の客が、図１３における会員番号２３４５６７の会員であれば、制御部４０は、図１４に示す内容の払出枚数入力画面を表示操作部１６に表示する。
図１４では、たとえば、表示操作部１６の上端に、「払出枚数を入力して下さい」という見出しが表示され、表示操作部１６の左半分の領域に履歴表示欄８３が表示され、表示操作部１６の右半分の領域には、テンキー８５および入力欄８６が並んで表示される。
【０１２１】
履歴表示欄８３では、「過去４回分の払出枚数」という見出しの下に、直近４回分の払出枚数の履歴が、払出取引のあった日時とともに並んで表示される。履歴表示欄８３において４回分の履歴の払出枚数の数値部分（上から順に、「１００」、「８０」、「１００」、「１２０」）の表示のそれぞれは、タッチキー８４（指定手段）になっている。
入力欄８６には、今回の入力される払出枚数が表示される。ただし、払出枚数入力画面が表示操作部１６に表示された直後では、入力欄８６は空欄になっていて、入力欄８６には何も数値が表示されていない。または、入力欄８６には、デフォルト値として「０（零）」が表示されている。履歴表示欄８３に表示された４回分の払出枚数のうちで今回の払出枚数にしたい数値のタッチキー８４を客が押すと、当該数値が、入力欄８６に表示される。つまり、タッチキー８４は、払出履歴を表示するとともに、表示操作部１６が受け付ける払出枚数を指定するための指定手段を兼ねている。
【０１２２】
または、客は、履歴表示欄８３に表示された４回分の払出枚数とは別の数値を今回の払出枚数にしたいのであれば、タッチキー８４でなくテンキー８５を操作することによって、当該数値を入力欄８６に表示させる。具体的には、テンキー８５を操作して当該数値を入力欄８６に表示させてからＥＴ（エンター）キー８５Ａを押すと、テンキー８５の操作が確定する。なお、入力欄８６に表示された数値を訂正したい場合には、ＣＬ（クリア）キー８５Ｂを押して当該数値を消去してから、改めてタッチキー８４やテンキー８５を操作して、今回の払出枚数にしたい数値を入力欄８６に表示させればよい。
【０１２３】
客は、今回の払出枚数にしたい数値を入力欄８６に表示させてから、この数値を、今回の払出枚数として確定したい場合には、「ＯＫ」と記されたＯＫキー８７を押す。すると、メダル預払機２の制御部４０は、この払出枚数分のメダルを払い出す処理を行う（図７Ｅ〜図７Ｈおよび図１１ＢのステップＳ６５参照）。なお、今回の取引をキャンセルしたいのであれば、「やめる」と記された中止キー８８を押せばよい。
【０１２４】
このように、メダルの払い出しを受けようとする客にとって、表示操作部１６（履歴表示欄８３）に表示された自身の過去の払出枚数の履歴における各払出枚数は、今回所望する払出枚数になりやすい。よって、客は、当該履歴の中から、今回所望する払出枚数を速やかに指定できる上に、表示操作部１６における当該履歴の各払出枚数の表示（タッチキー８４）を選択するだけで、今回所望する払出枚数を速やかに指定することもできる。よって、メダルの払出枚数の指定に関して使い勝手の更なる向上を図ることができる。
【０１２５】
一方、図１３における会員番号が２３４５６７以外の客の場合には、制御部４０は、図１５に示す内容の払出枚数入力画面を表示操作部１６に表示する。図１５に示す表示操作部１６には、「払出枚数を入力して下さい」という見出しの下に、前述したテンキー８５、入力欄８６、ＯＫキー８７および中止キー８８が表示されている。
ここで、前述した会員番号が１２３４５６の客の場合には（図１３参照）、払出枚数入力画面が表示操作部１６に表示された直後の状態では、入力欄８６が空欄となっており（または、「０（零）」が初期表示されており）、この客は、前述したようにテンキー８５を操作することによって、今回の払出枚数にしたい数値を入力欄８６に表示させる。その後、ＯＫキー８７を押すと、前述したように、メダル預払機２の制御部４０が、この数値分（払出枚数分）のメダルを払い出す処理を行う。そのため、メダルの払い出しを受けようとする客は、必要に応じて、表示操作部１６に表示されたテンキー８５によって払出枚数を任意に指定することができる。よって、メダルの払出枚数の指定に関して使い勝手の向上を図ることができる。
【０１２６】
前述した会員番号が３４５６７８の客の場合には（図１３参照）、制御部４０は、この客が予め選択していた直近４回分の払出枚数の平均値を算出し、払出枚数入力画面が表示操作部１６に表示された直後の状態の入力欄８６に、当該平均値を、払出枚数の候補として表示する。つまり、制御部４０は、この客の過去の払出枚数に基づいて、払出枚数の候補を算出して入力欄８６に表示する。
【０１２７】
この客は、入力欄８６に表示された候補の数値でよければ、ＯＫキー８７を押す。すると、前述したように、メダル預払機２の制御部４０が、この数値分（払出枚数分）のメダルを払い出す処理を行う。一方、客は、入力欄８６に表示された数値を修正したければ、テンキー８５を操作することによって、この数値を消去し、自身が今回所望する数値を入力欄８６に表示させてから、ＯＫキー８７を押せばよい。これにより、客が所望する払出枚数のメダルがメダル預払機２から払い出されるようになる。
【０１２８】
前述した会員番号が４５６７８９の客の場合には（図１３参照）、制御部４０は、この客が予め選択していた２０１０年１０月以降分の払出枚数の平均値を算出し、払出枚数入力画面が表示操作部１６に表示された直後の状態の入力欄８６に、当該平均値を、払出枚数の候補として表示する。つまり、制御部４０は、この客の過去の払出枚数に基づいて、払出枚数の候補を算出して入力欄８６に表示する。
【０１２９】
前述した会員番号が５６７８９０の客の場合には（図１３参照）、制御部４０は、この客が予め選択していた自身の全ての払出枚数（図４Ｄ参照）の平均値を算出し、払出枚数入力画面が表示操作部１６に表示された直後の状態の入力欄８６に、当該平均値を、払出枚数の候補として表示する。つまり、制御部４０は、この客の過去の全ての払出枚数に基づいて、払出枚数の候補を算出して入力欄８６に表示する。
【０１３０】
前述した会員番号が６７８９０１の客の場合には（図１３参照）、払出枚数入力画面が表示操作部１６に表示された直後の状態の入力欄８６には、この客が予め選択していた指定値（５０枚）がデフォルトで表示されている。つまり、会員番号が６７８９０１の客の場合、制御部４０は、この客によって予め指定された値を、払出枚数の候補として入力欄８６に表示する。このように、メダルの払い出しを受けようとする客は、自身が予め指定しておいた値を今回の払出枚数とすることで、払出枚数を速やかに決定して、表示操作部１６で入力できる。よって、メダルの払出枚数の指定に関して使い勝手の向上を図ることができる。
【０１３１】
会員番号が４５６７８９や５６７８９０や６７８９０１（図１３参照）の客は、入力欄８６に表示された数値でよければ、ＯＫキー８７を押す。すると、前述したように、メダル預払機２の制御部４０が、この数値分（払出枚数分）のメダルを払い出す処理を行う。一方、客は、入力欄８６に表示された数値を修正したければ、テンキー８５を操作することによって、この数値を消去し、自身が今回所望する数値を入力欄８６に表示させてから、ＯＫキー８７を押せばよい。これにより、客が所望する払出枚数のメダルがメダル預払機２から払い出されるようになる。
【０１３２】
以上のように、メダル預払機２の制御部４０は、メダルの払出の取引を行う場合には、メダルの払い出しを受ける客による表示操作部１６での払出枚数の入力を受け付けるのに先立って、当該客についての過去の払出枚数に関する払出情報を表示操作部１６に表示する（図１４および図１５参照）。払出情報とは、当該客についての過去の所定回分の払出枚数の履歴（図１４参照）や、当該払出枚数に基づいて算出された前記候補（所定回分の払出枚数の平均値等）である。
【０１３３】
メダルの払い出しを受けようとする客は、自身の過去の払出枚数に関する払出情報を表示操作部１６で把握できるので、今回所望する払出枚数を当該払出情報に基づいて速やかに決定して、表示操作部１６で入力（指定）できる。そのため、メダルの払出枚数の指定に関して使い勝手の向上を図ることができる。
ここで、メダルの払い出しを受けようとする客にとって、自身の過去の払出枚数に基づいて算出された払出枚数の候補が、今回所望する払出枚数になりやすい。
【０１３４】
特に、前述したように算出された払出枚数の候補（直近の所定回数分の払出枚数の平均値や、所定タイミング以降の払出枚数の平均値や、履歴に含まれる全件の払出枚数の平均値）は、客が今回所望する払出枚数として選択する可能性の高い値ばかりである。客は、今回所望する払出枚数を、当該候補とすることで極めて速やかに指定して、表示操作部１６で入力できる。
【０１３５】
よって、客は、今回所望する払出枚数を、表示操作部１６に表示された当該候補とすることで速やかに指定して、表示操作部１６で入力できる。そのため、メダルの払出枚数の指定に関して使い勝手の更なる向上を図ることができる。
なお、以上では、（１）過去の払出枚数の履歴、（２）直近の所定回数分の払出枚数の平均値、（３）所定タイミング以降の払出枚数の平均値、（４）履歴に含まれる全件の払出枚数の平均値、（５）客によって予め指定された値のいずれかを、今回の払出枚数の候補として、表示操作部１６に表示しているが、これら（１）〜（５）が適宜組合わさった状態で表示操作部１６に表示されてもよい。そうすれば、客にとっては、払出枚数の候補の選択肢が増えるというメリットがある。
【０１３６】
次に、メダル預払機２に預け入れられたメダルの流れを説明する。
図１６は、メダル預払機２に投入されたメダルＭを振り分ける様子を示す模式図である。
図１６を参照して、メダル預払機２は、前述したようにメダル預入口１７（図２参照）に投入されたメダルを処理する構成（前述した預入部４１や計数部４３の構成）として、回転盤９０と、区画壁９１と、搬送路９２と、搬送ベルト９３と、第１分岐路９４と、第２分岐路９５と、判別センサ９６（判別手段）と、第１通過センサ９７と、第２通過センサ９８と、第３通過センサ９９と、第４通過センサ１００とを主に備えている。
【０１３７】
回転盤９０は、メダル預入口１７に投入されたメダルＭが落下する先に配置された円盤である。図１６では、平面視における回転盤９０が示されている。回転盤９０は、水平方向に平坦となるように配置されていて、この状態で、所定方向（図１６では実線矢印に沿う時計回りの方向）に回転する。回転盤９０上のメダルＭは、回転盤９０の回転に伴って遠心力によって回転盤９０の外周側へ徐々に移動するようになっている。
【０１３８】
区画壁９１は、平面視で回転盤９０の外周を取り囲む略環状の縦壁である。区画壁９１の周上１箇所には、メダルＭが１枚ちょうど通過できるスリット１０１が形成されている。なお、メダルＭより大径であったり、厚かったりするもの（異物等）は、スリット１０１を通過できずに回転盤９０上に残留するようになっており、メダル預払機２のメンテナンス時に回収される。
【０１３９】
搬送路９２は、区画壁９１に連結されていて、スリット１０１から帯状に延びている。図１６では、平面視における搬送路９２が示されている。搬送路９２は、自身が延びる方向（図１６では左右方向）において長手である。搬送路９２の床面（底面）には、平面視でメダルＭよりも大きい落下穴１０２が、搬送路９２の長手方向に間隔を隔てて２つ形成されている。２つの落下穴１０２を、スリット１０１に近い方から順に、第１落下穴１０２Ａ、第２落下穴１０２Ｂと区別する。各落下穴１０２は、搬送路９２において、搬送路９２の長手方向に直交する方向（図１６における上下方向）における一方側（図１６では下側）へ偏った位置に形成されている。そのため、搬送路９２の床面において長手方向で第１落下穴１０２Ａが存在する領域には、第１落下穴１０２Ａが形成された部分（図１６の下側部分）と、第１落下穴１０２Ａが形成されていない部分（図１６の上側部分であり、「第１通過部分９２Ａ」という）とが存在する。また、搬送路９２の床面において長手方向で第２落下穴１０２Ｂが存在する領域には、第２落下穴１０２Ｂが形成された部分（図１６の下側部分）と、第２落下穴１０２Ｂが形成されていない部分（図１６の上側部分であり、「第２通過部分９２Ｂ」という）とが存在する。
【０１４０】
メダル預払機２において、搬送路９２においてスリット１０１から最も離れた部分（図１６における左端部）の先には、メインホッパ１０３が配置されている。図１６では、説明の便宜上、メインホッパ１０３を、カップ状の容器としている。
前述したように回転盤９０の回転に伴って遠心力によって回転盤９０の外周側へ移動した回転盤９０上のメダルＭは、スリット１０１を通過して搬送路９２の床面上に受け渡される。
【０１４１】
搬送ベルト９３は、たとえばエンドレスベルトであり、水平方向（図１６の紙面に沿う方向）から見て環状をなしている。図１６では、平面視における搬送ベルト９３が示されている。搬送ベルト９３は、平面視で搬送路９２内に配置されており、この状態で、搬送路９２に沿って延びている。搬送ベルト９３が周回移動すると、搬送ベルト９３において搬送路９２の床面に臨んでいる部分は、搬送路９２の長手方向に沿って、スリット１０１から離れる方向（図１６における左側）へ移動する。スリット１０１を通過して搬送路９２の床面上に受け渡されたメダルＭは、搬送ベルト９３において搬送路９２の床面に臨んでいる部分と搬送路９２の床面とに挟まされた状態で、周回移動する搬送ベルト９３によって、スリット１０１から離れる方向へ搬送路９２内を搬送される。このとき、メダルＭは、平面視において、搬送路９２の長手方向と直交する方向において各落下穴１０２から離れた側（図１６では上側）に偏った状態で搬送路９２内を搬送される。そのため、メダルＭが、搬送路９２の長手方向で各落下穴１０２が位置する部分に差し掛かると、メダルＭに対して他から外力が作用していない場合には、前述した第１通過部分９２Ａや第２通過部分９２Ｂ（落下穴１０２が形成されていない部分）を通過し、落下穴１０２から落下しないようになっている。そのため、メダルＭは、各落下穴１０２から落下することなく、このまま搬送路９２を最後まで搬送されると、メインホッパ１０３に収容される。
【０１４２】
第１分岐路９４は、搬送路９２の第１落下穴１０２Ａから連続して下方（図１６の紙面奥側）へ延びている。第１分岐路９４の先には、返却口２４（図２参照）が位置している。図１６では、説明の便宜上、返却口２４を、カップ状の容器に見立てている。
メダル預払機２には、搬送路９２の外側の位置であって、第１通過部分９２Ａを第１落下穴１０２Ａとの間で挟む位置に、第１リジェクトベアリング１０５が設けられている。第１リジェクトベアリング１０５は進退可能であり、退避位置にあるときは、搬送路９２の外側に位置しているが、退避位置から進出したときには、第１通過部分９２Ａを横切って第１落下穴１０２Ａに到る。そのため、第１リジェクトベアリング１０５が退避位置にあるときには、メダルＭは、第１通過部分９２Ａに差し掛かっても、第１落下穴１０２Ａから落下することなく、第１通過部分９２Ａを通過して、さらに搬送路９２を下流側へ搬送される。しかし。メダルＭが第１通過部分９２Ａに差し掛かったときに第１リジェクトベアリング１０５が退避位置から進出すると、このメダルＭは、第１リジェクトベアリング１０５によって第１落下穴１０２Ａ側へ叩きつけられ、これによって第１落下穴１０２Ａから落下して第１分岐路９４を通過し、最終的には返却口２４に到る。
【０１４３】
第２分岐路９５は、搬送路９２の第２落下穴１０２Ｂから連続して下方へ延びている。メダル預払機２において、第２分岐路９５の先には、サブホッパ１０４が配置されている。図１６では、説明の便宜上、サブホッパ１０４を、カップ状の容器としている。
メダル預払機２には、搬送路９２の外側の位置であって、第２通過部分９２Ｂを第２落下穴１０２Ｂとの間で挟む位置に、第２リジェクトベアリング１０６が設けられている。第２リジェクトベアリング１０６は進退可能であり、退避位置にあるときは、搬送路９２の外側に位置しているが、退避位置から進出したときには、第２通過部分９２Ｂを横切って第２落下穴１０２Ｂに到る。そのため、第２リジェクトベアリング１０６が退避位置にあるときには、メダルＭは、第２通過部分９２Ｂに差し掛かっても、第２落下穴１０２Ｂから落下することなく、第２通過部分９２Ｂを通過して、さらに搬送路９２を下流側へ搬送される。しかし、メダルＭが第２通過部分９２Ｂに差し掛かったときに第２リジェクトベアリング１０６が退避位置から進出すると、このメダルＭは、第２リジェクトベアリング１０６によって第２落下穴１０２Ｂ側へ叩きつけられ、これによって第２落下穴１０２Ｂから落下して第２分岐路９５を通過し、最終的にはサブホッパ１０４に到る。
【０１４４】
判別センサ９６は、搬送路９２において第２落下穴１０２Ａとスリット１０１との間に配置されている。判別センサ９６は、搬送路９２において自身が配置された部分を通過するメダルＭの種類を判別することができる。ここで、メダルＭには、メダル預払機２が配置された遊技店（自店）が取り扱うメダルＭ（「自店メダルＭ１」という）、自店と同系列の他店（同じ遊技店グループに属するチェーン店）のメダルＭ（「同系列他店メダルＭ２」という）と、自店とは別系列（無関係）の他店のメダルＭ（「他系列他店メダルＭ３」という）という主に３つの種類が存在する。なお、他系列他店メダルＭ３には、そもそもメダルＭでない異物も含まれることにする。図１６では、白抜きの丸になっているメダルＭが自店メダルＭ１であり、ドットを付した丸になっているメダルＭが同系列他店メダルＭ２であり、ハッチングを付した丸になっているメダルＭが他系列他店メダルＭ３である。
【０１４５】
この遊技店（自店）において、自店メダルＭ１は、正規のメダルＭであり、同系列他店メダルＭ２および他系列他店メダルＭ３は、非正規のメダルＭであるが、同系列他店メダルＭ２および他系列他店メダルＭ３を比べると、他系列他店メダルＭ３の方が同系列他店メダルＭ２よりも非正規の度合いが相対的に高い。
判別センサ９６は、いわゆる画像センサであって、自店メダルＭ１や同系列他店メダルＭ２や他系列他店メダルＭ３の各メダルの画像データを予め保有している。判別センサ９６は、搬送路９２において自身が配置された部分を通過するメダルＭの画像と、判別センサ９６自身が保有する画像データとを照合することによって、当該メダルＭの種類を判別する。なお、各メダルＭの表裏の形態は一般的に同じなので、判別センサ９６は、メダルＭの表裏のどちらによっても、当該メダルＭの種類を判別することができる。判別センサ９６は、メダルＭの種類を判別することによって、当該メダルＭが正規（自店メダルＭ１）であるか否か、または、当該メダルＭが非正規である場合における非正規の度合い（同系列他店メダルＭ２および他系列他店メダルＭ３のどちらであるか）を判別できる。
【０１４６】
後述するように、搬送路９２を搬送されるメダルＭのうち、自店メダルＭ１は、搬送路９２を最後まで搬送されてメインホッパ１０３に回収され、同系列他店メダルＭ２は、第２落下穴１０２Ｂから落下してサブホッパ１０４に回収され、他系列他店メダルＭ３は、第１落下穴１０２Ａから落下して返却口２４に返却されるようになっている。
第１通過センサ９７、第２通過センサ９８、第３通過センサ９９および第４通過センサ１００のそれぞれは、いわゆる遮光センサを構成している。これらの通過センサは、搬送路９２の長さ方向において間隔を隔てて並ぶように配置されている。第１通過センサ９７は、スリット１０１と判別センサ９６との間に配置され、第２通過センサ９８は、判別センサ９６と第１落下穴１０２Ａとの間に配置されている。第３通過センサ９９は、第１落下穴１０２Ａと第２落下穴１０２Ｂとの間に配置され、第４通過センサ１００は、スリット１０１から離れる方向において第２落下穴１０２Ｂより下流側の位置（第２落下穴１０２Ｂとメインホッパ１０３との間）に配置されている。
【０１４７】
第１通過センサ９７は、検知光（図示せず）を発光する発光素子９７Ａと、発光素子９７Ａからの検知光を受光する受光素子９７Ｂとを含んでいる。発光素子９７Ａおよび受光素子９７Ｂは、平面視において搬送路９２の長さ方向に対して直交する方向（図１６における上下方向）から搬送路９２を挟むように、間隔を隔てて対向配置されている。第１通過センサ９７は、検知光が一度遮断されたことによって、自身が配置された位置においてメダルＭが１枚通過したことを検知する。
【０１４８】
第２通過センサ９８〜第４通過センサ１００のそれぞれも、第１通過センサ９７と同様の構成を有している。つまり、第２通過センサ９８は、搬送路９２を挟んで対向配置される発光素子９８Ａおよび受光素子９８Ｂを備え、発光素子９８Ａおよび受光素子９８Ｂ間での検知光が一度遮断されたことによって、自身が配置された位置においてメダルＭが１枚通過したことを検知する。同様に、第３通過センサ９９は、搬送路９２を挟んで対向配置される発光素子９９Ａおよび受光素子９９Ｂを備え、発光素子９９Ａおよび受光素子９９Ｂ間での検知光が一度遮断されたことによって、自身が配置された位置においてメダルＭが１枚通過したことを検知する。同様に、第４通過センサ１００は、搬送路９２を挟んで対向配置される発光素子１００Ａおよび受光素子１００Ｂを備え、発光素子１００Ａおよび受光素子１００Ｂ間での検知光が一度遮断されたことによって、自身が配置された位置においてメダルＭが１枚通過したことを検知する。
【０１４９】
なお、以下では、第１通過センサ９７〜第４通過センサ１００のそれぞれは、メダルＭが１枚通過したことを検知したときに、「ＯＮ」になるものとする。
図１７は、メダル預払機２の制御回路ブロック図であり、この発明の特徴と関連する部分のみを示すブロック図である。
図１７を参照して、メダル預払機２は、前述した制御部４０（図３参照）を備えている。メダル預払機２では、制御部４０に対して、前述した判別センサ９６、第１通過センサ９７、第２通過センサ９８、第３通過センサ９９および第４通過センサ１００のそれぞれと、回転盤モータ１０７と、搬送ベルト駆動モータ１０８と、第１アクチュエータ１０９と、第２アクチュエータ１１０とが電気的に接続されている。これらは、前述した預入部４１や計数部４３（図３参照）を構成する。
【０１５０】
回転盤モータ１０７は、回転盤９０を回転駆動させる。搬送ベルト駆動モータ１０８は、搬送ベルト９３を周回移動させる。第１アクチュエータ１０９は、第１リジェクトベアリング１０５を進退させる。第２アクチュエータ１１０は、第２リジェクトベアリング１０６を進退させる。第１アクチュエータ１０９および第２アクチュエータ１１０のそれぞれには、ステッピングモータを用いることができる。
【０１５１】
図１８は、メダル預払機２においてメダルの振り分けに関して行われる制御動作を示すフローチャートである。
次に、メダル預入口１７（図２参照）に投入されることでメダル預払機２に預け入れられるメダルがメダル預払機２内で処理される手順を、図１８を参照しながら説明する。
なお、既に、回転盤モータ１０７が回転盤９０を回転駆動させていて、搬送ベルト駆動モータ１０８が搬送ベルト９３を周回移動させているものとする（図１６参照）。
【０１５２】
制御部４０（図１７参照）は、待機状態において、第１通過センサ９７（図１６参照）がＯＮになったか否かを監視している（ステップＳ９１）。回転盤９０上のメダルＭが、スリット１０１を経て搬送路９２で搬送され始めて、第１通過センサ９７（発光素子９７Ａおよび受光素子９７Ｂの間）を通過すると、第１通過センサ９７がＯＮになる（図１６参照）。
【０１５３】
第１通過センサ９７がＯＮになると（ステップＳ９１でＹＥＳ）、制御部４０は、変数Ｐ（当初は、０「零」）をインクリメント（＋１）する（ステップＳ９２）。
次に、制御部４０は、先程第１通過センサ９７を通過したメダルＭが判別センサ９６を通過することによって、判別センサ９６による当該メダルＭの判別があったか否かを確認する（ステップＳ９３）。所定時間が経過しても判別センサ９６による判別がなければ（ステップＳ９３でＮＯ）、当該メダルＭは、搬送路９２において判別センサ９６よりも上流側（スリット１０１側）で詰まっているので、制御部４０は、表示操作部１６（図２参照）等を介してエラーを報知して、係員に対してエラー解除を促す（ステップＳ９４）。
【０１５４】
判別センサ９６による判別があった場合において（ステップＳ９３でＹＥＳ）、制御部４０は、判別されたメダルＭが他系列のメダル（つまり、前述した他系列他店メダルＭ３）であるか否かを確認する（ステップＳ９５）。
メダルＭが他系列他店メダルＭ３であれば（ステップＳ９５でＹＥＳ）、制御部４０は、第２通過センサ９８（図１６参照）がＯＮになったか否かを監視する（ステップＳ９６）。当該他系列他店メダルＭ３が、判別センサ９６による識別後に引き続き搬送されて、第２通過センサ９８（発光素子９８Ａおよび受光素子９８Ｂの間）を通過すると、第２通過センサ９８がＯＮになる（図１６参照）。所定時間が経過しても第２通過センサ９８がＯＮにならなければ（ステップＳ９６でＮＯ）、当該他系列他店メダルＭ３は、搬送路９２において第２通過センサ９８よりも上流側で詰まっているので、制御部４０は、前述したようにエラーを報知する（ステップＳ９４）。
【０１５５】
第２通過センサ９８がＯＮになれば（ステップＳ９６でＹＥＳ）、制御部４０は、変数Ｑ（当初は、０「零」）をインクリメント（＋１）するとともに、第２通過センサ９８がＯＮになってから所定時間が経過したときに第１アクチュエータ１０９（図１７参照）をＯＮにして、第１リジェクトベアリング１０５（図１６参照）を一時的に進出させる（ステップＳ９７）。当該所定時間とは、当該他系列他店メダルＭ３が第２通過センサ９８を通過してから第１通過部分９２Ａに差し掛かるまでにかかる時間であり、実験等によって予め定められている。なお、搬送路９２におけるメダルの搬送速度（搬送ベルト９３の周回速度等）に応じて、当該所定時間の誤差補正が適宜なされるようになっている。誤差補正に際して、第１通過センサ９７と第２通過センサ９８との間でのメダルＭの通過タイミング（通過時間）が参酌される。このようにして、第１リジェクトベアリング１０５の進出タイミングが調整されている。
【０１５６】
ステップＳ９７で第１リジェクトベアリング１０５が進出することによって、第１通過部分９２Ａに差し掛かった他系列他店メダルＭ３は、第１落下穴１０２Ａから落下し、第１分岐路９４を経由した後に、返却口２４（図２参照）から客に返却される（図１６参照）。前述したように第１リジェクトベアリング１０５の進出タイミングが調整されているので、進出した第１リジェクトベアリング１０５は、空振りすることなく、他系列他店メダルＭ３を第１落下穴１０２Ａから落下させることができる。また、当該他系列他店メダルＭ３の前後で別の種類のメダルＭが搬送路９２内を搬送されていたとしても、前述した進出タイミングの誤差補正により、当該他系列他店メダルＭ３だけが第１落下穴１０２Ａから落下するようになっている。
【０１５７】
一方、ステップＳ９３で判別されたメダルＭが、他系列のメダル（他系列他店メダルＭ３）でない場合には（ステップＳ９５でＮＯ）、当該メダルＭは、前述した自店メダルＭ１および同系列他店メダルＭ２のいずれかである。この場合、制御部４０は、判別センサ９６による判別結果に基づいて、当該メダルＭが他店のメダル（つまり、同系列他店メダルＭ２）であるか否かを確認する（ステップＳ９８）。
【０１５８】
当該メダルＭが他店のメダル（同系列他店メダルＭ２）である場合（ステップＳ９８でＹＥＳ）、制御部４０は、当該同系列他店メダルＭ２が第２通過センサ９８を通過することで第２通過センサ９８（図１６参照）がＯＮになったか否かを監視する（ステップＳ９９）。所定時間が経過しても第２通過センサ９８がＯＮにならなければ（ステップＳ９９でＮＯ）、当該同系列他店メダルＭ２は、搬送路９２において第２通過センサ９８よりも上流側で詰まっているので、制御部４０は、ステップＳ９４の場合と同様に、エラーを報知する（ステップＳ１００）。
【０１５９】
第２通過センサ９８がＯＮになった場合には（ステップＳ９９でＹＥＳ）、制御部４０は、今度は第３通過センサ９９（図１６参照）がＯＮになったか否かを監視する（ステップＳ１０１）。当該同系列他店メダルＭ２が、第２通過センサ９８を通過した後に搬送路９２を引き続き搬送されて、第３通過センサ９９（発光素子９９Ａおよび受光素子９９Ｂの間）を通過すると、第３通過センサ９９がＯＮになる（図１６参照）。所定時間が経過しても第３通過センサ９９がＯＮにならなければ（ステップＳ１０１でＮＯ）、当該同系列他店メダルＭ２は、搬送路９２において第３通過センサ９９よりも上流側で詰まっているので、制御部４０は、前述したようにエラーを報知する（ステップＳ１００）。
【０１６０】
第３通過センサ９９がＯＮになれば（ステップＳ１０１でＹＥＳ）、制御部４０は、変数Ｒ（当初は、０「零」）をインクリメント（＋１）するとともに、第３通過センサ９９がＯＮになってから所定時間が経過したときに第２アクチュエータ１１０（図１７参照）をＯＮにして、第２リジェクトベアリング１０６（図１６参照）を一時的に進出させる（ステップＳ１０２）。当該所定時間とは、当該同系列他店メダルＭ２が第３通過センサ９９を通過してから第２通過部分９２Ｂに差し掛かるまでにかかる時間であり、実験等によって予め定められている。なお、搬送路９２におけるメダルの搬送速度（搬送ベルト９３の周回速度等）に応じて、当該所定時間の誤差補正が適宜なされるようになっている。誤差補正に際して、第２通過センサ９８と第３通過センサ９９との間でのメダルＭの通過タイミング（通過時間）が参酌される。このようにして、第２リジェクトベアリング１０６の進出タイミングが調整されている。
【０１６１】
ステップＳ１０２で第２リジェクトベアリング１０６が進出することによって、第２通過部分９２Ｂに差し掛かった同系列他店メダルＭ２は、第２落下穴１０２Ｂから落下し、第２分岐路９５を経由した後に、サブホッパ１０４に溜められる（図１６参照）。サブホッパ１０４に溜められた同系列他店メダルＭ２は、メダル預払機２のメンテナンス時に係員によって回収されて、同系列他店メダルＭ２を取り扱う同系列他店に返却される。前述したように第２リジェクトベアリング１０６の進出タイミングが調整されているので、進出した第２リジェクトベアリング１０６は、空振りすることなく、同系列他店メダルＭ２を第２落下穴１０２Ｂから落下させることができる。また、当該同系列他店メダルＭ２の前後で別の種類のメダルＭが搬送路９２内を搬送されていたとしても、前述した進出タイミングの誤差補正により、当該同系列他店メダルＭ２だけが第２落下穴１０２Ｂから落下するようになっている。
【０１６２】
ステップＳ９８において、判別センサ９６によって判別されたメダルＭが他店のメダルでなく、自店メダルＭ１である場合（ステップＳ９８でＮＯ）、制御部４０は、当該自店メダルＭ１が第２通過センサ９８を通過することで第２通過センサ９８（図１６参照）がＯＮになったか否かを監視する（ステップＳ１０３）。所定時間が経過しても第２通過センサ９８がＯＮにならなければ（ステップＳ１０３でＮＯ）、当該自店メダルＭ１は、搬送路９２において第２通過センサ９８よりも上流側で詰まっているので、制御部４０は、エラーを報知する（ステップＳ１００）。
【０１６３】
第２通過センサ９８がＯＮになった場合には（ステップＳ１０３でＹＥＳ）、制御部４０は、今度は、制御部４０は、当該自店メダルＭ１が第３通過センサ９９を通過することで第３通過センサ９９（図１６参照）がＯＮになったか否かを監視する（ステップＳ１０４）。所定時間が経過しても第３通過センサ９９がＯＮにならなければ（ステップＳ１０４でＮＯ）、当該自店メダルＭ１は、搬送路９２において第３通過センサ９９よりも上流側で詰まっているので、制御部４０は、エラーを報知する（ステップＳ１００）。
【０１６４】
第３通過センサ９８がＯＮになった場合には（ステップＳ１０４でＹＥＳ）、制御部４０は、今度は第４通過センサ１００（図１６参照）がＯＮになったか否かを監視する（ステップＳ１０５）。当該自店メダルＭ１が、第３通過センサ９９を通過した後に搬送路９２を引き続き搬送されて、第４通過センサ１００（発光素子１００Ａおよび受光素子１００Ｂの間）を通過すると、第４通過センサ１００がＯＮになる（図１６参照）。所定時間が経過しても第４通過センサ１００がＯＮにならなければ（ステップＳ１０５でＮＯ）、当該自店メダルＭ１は、搬送路９２において第４通過センサ１００よりも上流側で詰まっているので、制御部４０は、前述したようにエラーを報知する（ステップＳ１００）。
【０１６５】
第４通過センサ１００がＯＮになれば（ステップＳ１０５でＹＥＳ）、制御部４０は、変数Ｓ（当初は、０「零」）をインクリメント（＋１）する（ステップＳ１０６）。図１６を参照して、第４通過センサ１００を通過した当該自店メダルＭ１は、搬送路９２を最後まで搬送された後に、メインホッパ１０３に回収され、以降のメダル払出取引の際に、客に払い出される。
【０１６６】
このようにして、メダル預入口１７（図２参照）から投入された回転盤９０上のメダルＭは、次々とスリット１０１から搬送路９２上に受け渡され、判別センサ９６で判別を受ける。判別センサ９６で判別を受けたメダルＭは、判別センサ９６の判別結果に応じて、他系列他店メダルＭ３であれば第１落下穴１０２Ａから第１分岐路９４経由で返却口２４へ送られ、同系列他店メダルＭ２であれば第２落下穴１０２Ｂから第２分岐路９５経由でサブホッパ１０４に溜められ、自店メダルＭ１であれば、最後まで搬送路９２を流れた後にメインホッパ１０３に回収される。つまり、回転盤９０上のメダルＭは、判別センサ９６による判別結果に応じて（当該メダルＭの種類によって）、第１の振分先である返却口２４、第２の振分先であるサブホッパ１０４、および、第３の振分先であるメインホッパ１０３のいずれか（３つの振分先のいずれか）に振り分けられる。メダルＭの振り分けは、制御部４０、第１通過センサ９７、第２通過センサ９８、第３通過センサ９９、第１アクチュエータ１０９および第２アクチュエータ１１０（図１７参照）のまとまりである振分手段によって実行される。
【０１６７】
つまり、このメダル預払機２では、預け入れられたメダルＭを、３種類うちのいずれかの種類のメダルＭであると判別して、各種類のメダルＭを別々の振分先に振り分けることができるから、多種類のメダルＭに対応できて使い勝手がよい。
特に、非正規の度合いが相対的に高い他系列他店メダルＭ３は、返却口２４にリジェクトすることによって機外の客に対して速やかに返却できるので、使い勝手がよい。ここで、第１〜第３の振分先の中で、第１の振分先（返却口２４）への他系列他店メダルＭ３の振り分けが最初に行われるようになっている（図１８のステップＳ９３〜Ｓ９７参照）。よって、他系列他店メダルＭ３の振り分けが最初に行われて当該他系列他店メダルＭ３が客に対して速やかに返却されるので、客は、間違ったメダルＭ３をメダル預払機２に投入したことに速やかに気付くことができて使い勝手がよい。
【０１６８】
そして、第１通過センサ９７〜第４通過センサ１００のそれぞれをメダルＭが１枚通過するたびに、制御部４０によって変数Ｐ、Ｑ、Ｒ、Ｓが１つずつインクリメントされる（図１８のステップＳ９２、Ｓ９７、Ｓ１０２、Ｓ１０６）。ここで、回転盤９０上のメダルＭ（スリット１０１を通過できないものを除く）が全て前記第１〜第３の振分先に振り分けられることでメダルＭの預入処理が完了した直後の時点では、変数ＰおよびＱは、いずれも、振分開始前に回転盤９０上にあったメダルＭ（スリット１０１を通過できなかったものを除く）の総数である。また、当該時点での変数Ｒは、第１落下穴１０２Ａで落下しなかった自店メダルＭ１および同系列他店メダルＭ２の総数であり、当該時点での変数Ｓは、第１落下穴１０２Ａおよび第２落下穴１０２Ｂで落下しなかった自店メダルＭ１の総数である。制御部４０は、当該時点の変数ＰまたはＱから変数Ｒを差し引くことで、返却口２４へ送られた他系列他店メダルＭ３の総数を得ることができる。また、制御部４０は、当該時点の変数Ｒから変数Ｓを差し引くことで、サブホッパ１０４へ送られた同系列他店メダルＭ２の総数を得ることができる。
【０１６９】
このメダル預払機２では、他系列他店メダルＭ３は預入（前述した貯メダル）の対象とせず、自店メダルＭ１および同系列他店メダルＭ２は、預入の対象としているので、自店メダルＭ１および同系列他店メダルＭ２の総数である変数Ｒを、最終的に預け入れられたメダルＭの枚数（預入枚数であり、追加の貯メダル数）としている。つまり、制御部４０は、以上のように第１通貨センサ９７〜第４通貨センサ１００を用いることで、預け入れられるメダルＭをカウントするのだが、カウントの対象から、返却口２４に振り分けられた他系列他店メダルＭ３を除外している。そのため、他系列他店メダルＭ３が混ざった状態でメダルＭのカウントが行われることで預入枚数に誤算が生じることを防止できる。
【０１７０】
なお、メダルＭを管理する都合上、当該預入枚数だけでなく、他系列他店メダルＭ３や同系列他店メダルＭ２のそれぞれの総数も管理している。また、判別センサ９６によって同系列他店メダルＭ２または他系列他店メダルＭ３が判別された場合には、任意のタイミングにおいて、その旨（投入されたメダルＭが自店メダルＭ１でない旨）の警告や、同系列他店メダルＭ２は貯メダルとして預入できる旨等が表示操作部１６で客に報知されてもよい。
【０１７１】
なお、この実施形態では、メダル預入口１７から投入された回転盤９０上のメダルＭを、その種類に応じて、第１の振分先（返却口２４）、第２の振分先（サブホッパ１０４）、および、第３の振分先（メインホッパ１０３）のいずれかに振り分けている。ここで、メダルＭを３種類以上に細分化できるのであれば、それに応じて、メダルＭの振分先を３つ以上設けて、メダルＭを、その種類に応じて各振分先に振り分けてもよい。
【０１７２】
この発明は、以上の実施形態の内容に限定されるものではなく、請求項記載の範囲内において種々の変更が可能である。
たとえば、複数のメダル預払機２の中から１台だけを親機２Ａとしたが、親機２Ａには複数のメダル預払機２がなれるようにしてもよい。親機２Ａになる優先順位を設定しておけばよい。そうすることで、縮退運転中の親機２Ａの調子が悪くなっても次の優先順位のメダル預払機２が親機２Ａの代用となるため、メダル預払システム１は維持できる。
【０１７３】
また、前述した縮退運転実行指示は、親機２Ａから全メダル預払機２へ送信するのではなく、通信異常を検知した子機２Ｂから全メダル預払機２へ送信するようにしてもよい。
【符号の説明】
【０１７４】
１    メダル預払システム
２    メダル預払機
２Ａ  親機
３    管理装置
１６  表示操作部
３０  制御部
３２  操作部
４０  制御部
４４  メモリ部
【図１】
0005850659.tif 000002
【図２】
0005850659.tif 000003
【図３】
0005850659.tif 000004
【図４Ａ】
0005850659.tif 000005
【図４Ｂ】
0005850659.tif 000006
【図４Ｃ】
0005850659.tif 000007
【図４Ｄ】
0005850659.tif 000008
【図５Ａ】
0005850659.tif 000009
【図５Ｂ】
0005850659.tif 000010
【図５Ｃ】
0005850659.tif 000011
【図５Ｄ】
0005850659.tif 000012
【図５Ｅ】
0005850659.tif 000013
【図５Ｆ】
0005850659.tif 000014
【図５Ｇ】
0005850659.tif 000015
【図５Ｈ】
0005850659.tif 000016
【図５Ｉ】
0005850659.tif 000017
【図６Ａ】
0005850659.tif 000018
【図６Ｂ】
0005850659.tif 000019
【図６Ｃ】
0005850659.tif 000020
【図６Ｄ】
0005850659.tif 000021
【図６Ｅ】
0005850659.tif 000022
【図６Ｆ】
0005850659.tif 000023
【図６Ｇ】
0005850659.tif 000024
【図６Ｈ】
0005850659.tif 000025
【図７Ａ】
0005850659.tif 000026
【図７Ｂ】
0005850659.tif 000027
【図７Ｃ】
0005850659.tif 000028
【図７Ｄ】
0005850659.tif 000029
【図７Ｅ】
0005850659.tif 000030
【図７Ｆ】
0005850659.tif 000031
【図７Ｇ】
0005850659.tif 000032
【図７Ｈ】
0005850659.tif 000033
【図８】
0005850659.tif 000034
【図９】
0005850659.tif 000035
【図１０】
0005850659.tif 000036
【図１１Ａ】
0005850659.tif 000037
【図１１Ｂ】
0005850659.tif 000038
【図１２】
0005850659.tif 000039
【図１３】
0005850659.tif 000040
【図１４】
0005850659.tif 000041
【図１５】
0005850659.tif 000042
【図１６】
0005850659.tif 000043
【図１７】
0005850659.tif 000044
【図１８】
0005850659.tif 000045